(57)【要約】【課題】  不都合の発生がなく、アナログ画像信号を利用した不正コピーを防止するようにする。【解決手段】  大ブロック化部２４２は、デジタル画像信号Vdg1のうちの現フレームを複数の大ブロックに分割する。残差算出部２４４は、動きベクトル検出部２４３の検出結果を利用して、現フレームを構成する複数の大ブロックのそれぞれと、前フレームにおける対応する大ブロックとの残差である複数の残差大ブロックのそれぞれを算出する。直交変換基底生成部２４６は、複数の残差大ブロック毎に異なる直交変換の基底をそれぞれ生成する。直交変換符号化部２４７は、複数の残差大ブロックのそれぞれに対して、残差大ブロック毎の直交変換の基底のうちの対応する１つを利用して、直交変換符号化処理を施す。本発明は、画像データの符号化と復号とのうちの少なくとも一方の処理を行う装置に適用可能である。【選択図】  図３
2006238067.tif 000002
【特許請求の範囲】
【請求項１】
少なくとも第１のアクセスユニットと第２のアクセスユニットから構成される入力データのうちの前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を備えることを特徴とするデータ変換装置。
【請求項２】
少なくとも第１のアクセスユニットと第２のアクセスユニットから構成される入力データのうちの少なくとも一部の表現形式を変換するデータ変換装置のデータ変換方法であって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むことを特徴とするデータ変換方法。
【請求項３】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むプログラムを記録していることを特徴とする記録媒体。
【請求項４】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップと
を含むことを特徴とするプログラム。
【請求項５】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記逆変換手段により生成された１以上の前記差分領域のそれぞれに対応する１以上の前記第２の領域のそれぞれを、前記第２のアクセスユニットから抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を備えることを特徴とするデータ逆変換装置。
【請求項６】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするデータ逆変換方法。
【請求項７】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とする記録媒体。
【請求項８】
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記逆変換ステップの処理により生成された１以上の前記差分領域のそれぞれに対応する１以上の前記第２の領域のそれぞれを、前記第２のアクセスユニットから抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とするプログラム。
【請求項９】
少なくとも第１のアクセスユニットと第２のアクセスユニットから構成される入力データのうちの前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域についての、前記第２のアクセスユニットに対する動きベクトルを推定する動きベクトル推定手段と、
前記第１の設定手段により設定された１以上の前記第１の領域のそれぞれを処理対象に１つずつ順次設定し、前記第２のアクセスユニットにおける、処理対象の前記第１の領域の位置から、前記動きベクトル推定手段により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を備えることを特徴とするデータ変換装置。
【請求項１０】
前記入力データに対してアナログ歪みを生じさせるアナログ歪み生成手段
をさらに備えることを特徴とする請求項９に記載のデータ変換装置。
【請求項１１】
前記分析手段は、処理対象の前記処理領域について、設定された前記分析領域を複数の分析データに分割し、複数の前記分析データを対象とする主成分分析を行うことで、処理対象の前記処理領域を構成する複数の前記処理データの表現形式を変換するための前記基底を生成する
ことを特徴とする請求項９に記載のデータ変換装置。
【請求項１２】
前記変換手段により表現形式が変換された複数の前記処理データから構成される１以上の前記処理領域のそれぞれを処理対象に１つずつ順次設定し、処理対象の前記処理領域に対して、前記動きベクトル推定手段により推定された前記動きベクトルのうちの、処理対象の前記処理領域に対応する前記第１の領域についての前記動きベクトルを対応付けて重畳し、その結果得られるデータを出力する出力手段
をさらに備えることを特徴とする請求項９に記載のデータ変換装置。
【請求項１３】
少なくとも第１のアクセスユニットと第２のアクセスユニットから構成される入力データのうちの少なくとも一部の表現形式を変換するデータ変換装置のデータ変換方法であって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むことを特徴とするデータ変換方法。
【請求項１４】
前記入力データに対してアナログ歪みを生じさせるアナログ歪み生成ステップ
をさらに含むことを特徴とする請求項１３に記載のデータ変換方法。
【請求項１５】
前記分析ステップは、処理対象の前記処理領域について、設定された前記分析領域を複数の分析データに分割し、複数の前記分析データを対象とする主成分分析を行うことで、処理対象の前記処理領域を構成する複数の前記処理データの表現形式を変換するための前記基底を生成するステップである
ことを特徴とする請求項１３に記載のデータ変換方法。
【請求項１６】
前記変換ステップの処理により表現形式が変換された複数の前記処理データから構成される１以上の前記処理領域のそれぞれを処理対象に１つずつ順次設定し、処理対象の前記処理領域に対して、前記動きベクトル推定ステップの処理により推定された前記動きベクトルのうちの、処理対象の前記処理領域に対応する前記第１の領域についての前記動きベクトルを対応付けて重畳し、その結果得られるデータを前記データ変換装置が出力することを制御する出力制御ステップ
をさらに含むことを特徴とする請求項１３に記載のデータ変換方法。
【請求項１７】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むプログラムを記録していることを特徴とする記録媒体。
【請求項１８】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、１以上の第１の領域を設定する第１の設定ステップと、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップと、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップと、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップと、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップと
を含むことを特徴とするプログラム。
【請求項１９】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれと前記動きベクトルのそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記分離手段により前記入力データから分離された１以上の前記第２の処理領域のそれぞれを処理対象に１つずつ順次設定し、前記第２のアクセスユニットにおける、処理対象の前記第２の処理領域の位置から、前記分離手段により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を備えることを特徴とするデータ逆変換装置。
【請求項２０】
前記元データにはアナログ歪みが生じている
ことを特徴とする請求項１９に記載のデータ逆変換装置。
【請求項２１】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするデータ逆変換方法。
【請求項２２】
前記元データにはアナログ歪みが生じている
ことを特徴とする請求項２１に記載のデータ逆変換方法。
【請求項２３】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むプログラムを記録していることを特徴とする記録媒体。
【請求項２４】
少なくとも第１のアクセスユニットと第２のアクセスユニットから構成されるデータが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれと、それぞれに対応する前記動きベクトルのそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップと、
前記分離ステップの処理により前記入力データから分離された１以上の前記第２の処理領域のそれぞれを処理対象に１つずつ順次設定し、前記第２のアクセスユニットにおける、処理対象の前記第２の処理領域の位置から、前記分離ステップの処理により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出ステップと、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップと
を含むことを特徴とするプログラム。
【請求項２５】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、
前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を有する
ことを特徴とする情報処理システム。
【請求項２６】
前記情報処理システムは、
前記変換部の前記入力データに対してアナログ歪みを生じさせるアナログ歪み生成部
を構成要素としてさらに含む
ことを特徴とする請求項２５に記載の情報処理システム。
【請求項２７】
画像データの表現形式を変換する変換部と、前記画像データの、前記変換部により変換された表現形式を逆変換する逆変換部とを構成要素として含む情報処理システムの情報処理方法において、
前記変換部は、
少なくとも第１のアクセスユニットと第２のアクセスユニットから構成される画像データが入力データとして入力され、
前記第１のアクセスユニットから、１以上の第１の領域を設定し、
設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定し、
設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成し、
設定された１以上の前記処理領域のそれぞれを処理対象に１つずつ順次設定し、処理対象の前記処理領域が分析対象として設定されたときに生成された前記基底を利用して、処理対象の前記処理領域を構成する複数の前記処理データのそれぞれの表現形式を変換する
ことを特徴とする情報処理方法。
【請求項２８】
前記情報処理システムは、画像データに対してアナログ歪みを生じさせるアナログ歪み生成部を構成要素としてさらに含み、
前記アナログ歪み生成部は、前記変換部の前記入力データに対してアナログ歪みを生じさせる
ことを特徴とする請求項２７に記載の情報処理方法。
【請求項２９】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、
前記第１のアクセスユニットから、１以上の第１の領域を設定する第１の設定手段と、
前記第１の設定手段により設定された１以上の前記第１の領域のそれぞれを処理対象に１つずつ順次設定し、処理対象の前記第１の領域についての、前記第２のアクセスユニットに対する動きベクトルを推定する動きベクトル推定手段と、
前記第１の設定手段により設定された１以上の前記第１の領域のそれぞれを処理対象に１つずつ順次設定し、前記第２のアクセスユニットにおける、処理対象の前記第１の領域の位置から、前記動きベクトル推定手段により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定手段と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段と
を有する
ことを特徴とする情報処理システム。
【請求項３０】
前記情報処理システムは、
前記変換部の前記入力データに対してアナログ歪みを生じさせるアナログ歪み生成部
を構成要素としてさらに含む
ことを特徴とする請求項２９に記載の情報処理システム。
【請求項３１】
画像データの表現形式を変換する変換部と、前記画像データの、前記変換部により変換された表現形式を逆変換する逆変換部とを構成要素として含む情報処理システムの情報処理方法において、
前記変換部は、
少なくとも第１のアクセスユニットと第２のアクセスユニットから構成される画像データが入力データとして入力され、
前記第１のアクセスユニットから、１以上の第１の領域を設定し、
設定された１以上の前記第１の領域のそれぞれを処理対象に１つずつ順次設定し、処理対象の前記第１の領域についての、前記第２のアクセスユニットに対する動きベクトルを推定し、
設定された１以上の前記第１の領域のそれぞれを処理対象に１つずつ順次設定し、前記第２のアクセスユニットにおける、処理対象の前記第１の領域の位置から、推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定し、
設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成し、
設定された１以上の前記処理領域のそれぞれを処理対象に１つずつ順次設定し、処理対象の前記処理領域が分析対象として設定されたときに生成された前記基底を利用して、処理対象の前記処理領域を構成する複数の前記処理データのそれぞれの表現形式を変換する
ことを特徴とする情報処理方法。
【請求項３２】
前記情報処理システムは、画像データに対してアナログ歪みを生じさせるアナログ歪み生成部を構成要素としてさらに含み、
前記アナログ歪み生成部は、前記変換部の前記入力データに対してアナログ歪みを生じさせる
ことを特徴とする請求項３１に記載の情報処理方法。
【請求項３３】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成される画像データが元データとされ、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記逆変換手段により生成された１以上の前記差分領域のそれぞれに対応する１以上の前記第２の領域のそれぞれを、前記第２のアクセスユニットから抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を有する
ことを特徴とする情報処理システム。
【請求項３４】
前記情報処理システムは、
前記元データに対してアナログ歪みを生じさせるアナログ歪み生成部
を構成要素としてさらに含む
ことを特徴とする請求項３３に記載の情報処理システム。
【請求項３５】
画像データの表現形式を変換する変換部と、前記画像データの、前記変換部により変換された表現形式を逆変換する逆変換部とを構成要素として含む情報処理システムの情報処理方法において、
前記変換部、または、前記変換部以外の装置により、
少なくとも第１のアクセスユニットと第２のアクセスユニットから構成される画像データが元データとされ、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれとを分離し、
前記入力データから分離された１以上の前記第２の処理領域のそれぞれを処理対象に１つずつ順次設定し、前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成し、
生成された１以上の前記差分領域のそれぞれに対応する１以上の前記第２の領域のそれぞれを、前記第２のアクセスユニットから抽出し、
生成された１以上の前記差分領域のそれぞれと、抽出された１以上の前記第２の領域のうちの対応する１つとを加算することで、前記第１のアクセスユニットから設定された１以上の前記第１の領域のそれぞれを生成する
ことを特徴とする情報処理方法。
【請求項３６】
前記情報処理システムは、画像データに対してアナログ歪みを生じさせるアナログ歪み生成部を構成要素としてさらに含み、
前記アナログ歪み生成部は、前記元データに対してアナログ歪みを生じさせる
ことを特徴とする請求項３５に記載の情報処理方法。
【請求項３７】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成される画像データが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれと前記動きベクトルのそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段と、
前記分離手段により前記入力データから分離された１以上の前記第２の処理領域のそれぞれを処理対象に１つずつ順次設定し、前記第２のアクセスユニットにおける、処理対象の前記第２の処理領域の位置から、前記分離手段により前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段と
を有する
ことを特徴とする情報処理システム。
【請求項３８】
前記情報処理システムは、
前記元データに対してアナログ歪みを生じさせるアナログ歪み生成部
を構成要素としてさらに含む
ことを特徴とする請求項３７に記載の情報処理システム。
【請求項３９】
画像データの表現形式を変換する変換部と、前記画像データの、前記変換部により変換された表現形式を逆変換する逆変換部とを構成要素として含む情報処理システムの情報処理方法において、
前記変換部、または、前記変換部以外の装置により、
少なくとも第１のアクセスユニットと第２のアクセスユニットから構成される画像データが元データとされて、
前記第１のアクセスユニットから、１以上の第１の領域が設定され、
設定された１以上の前記第１の領域のそれぞれが処理対象に１つずつ順次設定され、処理対象の前記第１の領域についての、前記第２のアクセスユニットに対する動きベクトルが推定され、
設定された１以上の前記第１の領域のそれぞれが処理対象に１つずつ順次設定され、前記第２のアクセスユニットにおける、処理対象の前記第１の領域の位置から、処理対象の前記第１の領域についての前記動きベクトルに対応する分だけ離間している第２の領域を抽出し、処理対象の前記第１の領域と抽出された前記第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底と、それぞれに対応する前記動きベクトルとがそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれと前記動きベクトルのそれぞれとを分離し、
前記入力データから分離された１以上の前記第２の処理領域のそれぞれを処理対象に１つずつ順次設定し、前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成し、
前記入力データから分離された１以上の前記第２の処理領域のそれぞれを処理対象に１つずつ順次設定し、前記第２のアクセスユニットにおける、処理対象の前記第２の処理領域の位置から、前記入力データから分離された前記動きベクトルのうちの処理対象の前記第２の処理領域に対応付けられた前記動きベクトル分だけ離間した領域を、処理対象の前記第２の処理領域に対応する前記第２の領域として抽出し、
生成された１以上の前記差分領域のそれぞれと、抽出された１以上の前記第２の領域のうちの対応する１つとを加算することで、前記第１のアクセスユニットから設定された１以上の前記第１の領域のそれぞれを生成する
ことを特徴とする情報処理方法。
【請求項４０】
前記情報処理システムは、画像データに対してアナログ歪みを生じさせるアナログ歪み生成部を構成要素としてさらに含み、
前記アナログ歪み生成部は、前記元データに対してアナログ歪みを生じさせる
ことを特徴とする請求項３９に記載の情報処理方法。
【発明の詳細な説明】
【技術分野】
【０００１】
本発明は、データ変換装置および方法、データ逆変換装置および方法、情報処理システムおよび方法、記録媒体、並びにプログラムに関し、特に、画像が表示されなくなったり、回路規模の増大を招いたりといった不都合を発生させることなく、２回目以降の符号化や復号では画像データを著しく劣化させることで、アナログ画像信号を利用した不正コピーを防止することができるようにした、データ変換装置および方法、データ逆変換装置および方法、情報処理システムおよび方法、記録媒体、並びにプログラムに関する。
【背景技術】
【０００２】
図１は、従来の画像表示システムの構成例を示している。この画像表示システムは、再生装置１と表示装置２とから構成されている。
【０００３】
再生装置１は、復号部１１とD/A変換部１２とから構成されている。復号部１１は、図示せぬ光ディスク等の記録媒体から再生された符号化デジタル画像信号を復号し、その結果得られるデジタル画像信号Vdg0をD/A変換部１２に供給する。D/A変換部１２は、このデジタル画像信号Vdg0をD/A（Digital-to-Analog）変換し、その結果得られるアナログ画像信号Vanを外部に出力する。即ち、アナログ画像信号Vanは、再生装置１から出力されて表示装置２に供給される。
【０００４】
表示装置２は、例えばCRT(Cathode-Ray Tube)ディスプレイやLCD(Liquid Crystal Display)等で構成され、再生装置１から供給されたアナログ画像信号Vanに対応する画像を表示する。
【０００５】
また、従来、図１に示されるような、A/D変換部２１、符号化部２２、および記録部２３から構成される符号化装置３が存在する。この符号化装置３と、再生装置１から出力されたアナログ画像信号Vanとを利用することで、不正コピーが行われるおそれがある。
【０００６】
即ち、再生装置１から出力されたアナログ画像信号Vanが符号化装置３に入力されてしまうと、A/D変換部２１は、そのアナログ画像信号VanをA/D（Analog-to-Digital）変換し、その結果得られるデジタル画像信号Vdg’を符号化部２２に供給する。符号化部２２は、そのデジタル画像信号Vdg’を符号化し、その結果得られる符号化デジタル画像信号Vcd’を記録部２３に供給する。記録部２３は、その符号化デジタル画像信号Vcd’を、図示せぬ光ディスク等の記録媒体に記録する。このようにして、不正コピーが行われてしまう。
【０００７】
そこで、特許文献１には、このようなアナログ画像信号Vanを利用した不正コピーを防止するために、著作権保護がなされているアナログ画像信号Vanをスクランブル処理して出力するか、或いはその出力を禁止する、といった手法が開示されている。
【０００８】
また、特許文献２には、再生側と記録側とのうちのいずれか一方もしくは両方の圧縮復号部に雑音情報発生部を設け、１回の処理では画像再生時に識別できない程度の雑音情報をデジタル画像信号に埋め込むことにより、コピー自体は可能とするが、複数回コピーを繰り返すと画像が著しく劣化し、これによって実質的にコピーの回数を制限する、といった手法が開示されている。
【０００９】
しかしながら、特許文献１の手法では、上述したように、再生装置１から出力されたアナログ画像信号Vanをスクランブル処理して出力するか或いはその出力を禁止するので、不正コピーの防止自体は図れるが、一方、表示装置２に正常な画像が表示されなくなるという問題点を有している。
【００１０】
また、特許文献２の手法では、再生側または記録側に、雑音情報発生部とこれを埋め込むための回路を搭載することが必須となり、回路規模が増大してしまうという問題点を有している。
【００１１】
即ち、特許文献１や特許文献２等の手法では、アナログ画像信号Vanを利用した不正コピーの防止自体は図られるが、その副作用として、表示装置２に適切な画像が表示されなくなったり、回路規模の増大を招いたりといった不都合が発生してしまう、という問題点が存在する。
【００１２】
そこで、画像が表示されなくなることや回路規模の増大を招くこと等の不都合を発生することなく、アナログ画像信号を利用した不正コピーを防止する手法が、本出願人により提案されている（例えば、特許文献３参照）。
【００１３】
そこで、画像が表示されなくなることや回路規模の増大を招くこと等の不都合を発生することなく、アナログ画像信号を利用した不正コピーを防止する手法が、本出願人により提案されている（例えば、特許文献３参照）。
【００１４】
即ち、特許文献３の手法とは、アナログ画像信号をA/D変換することにより得られるデジタル画像信号の位相ズレに着目し、そのデジタル画像信号に対して位相ズレに着目した符号化を行うことによってコピー前の画像の質を落とさずに、良好な質を維持したままでのコピーを不可能とし、これによりアナログ画像信号を利用した不正コピーを防止する、という手法である。
【特許文献１】特開２００１−２４５２７０号公報
【特許文献２】特開平１０−２８９５２２号公報
【特許文献３】特開２００４−２８９６８５号公報
【発明の開示】
【発明が解決しようとする課題】
【００１５】
このように、特許文献３の手法を適用することで、不正コピーを防止することが可能になった。しかしながら、デジタルコンテンツの流通が一般的になっている近年においては、特許文献３の他にも、不正コピーを防止するための別の手法の提案が要請されている。
【００１６】
本発明は、このような状況に鑑みてなされたものであり、画像が表示されなくなったり、回路規模の増大を招いたりといった不都合を発生させることなく、２回目以降の符号化や復号では画像データを著しく劣化させることで、アナログ画像信号を利用した不正コピーを防止するようにするものであって、特許文献３の手法とは異なる手法を提案するものである。
【課題を解決するための手段】
【００１７】
本発明の第１のデータ変換装置は、少なくとも第１のアクセスユニットと第２のアクセスユニットから構成される入力データのうちの第１のアクセスユニットから、１以上の第１の領域を設定する第１の設定手段と、第１の設定手段により設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定する第２の設定手段と、
第２の設定手段により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析手段と、第２の設定手段により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換手段とを備えることを特徴とする。
【００１８】
本発明の第１のデータ変換方法は、少なくとも第１のアクセスユニットと第２のアクセスユニットから構成される入力データのうちの少なくとも一部の表現形式を変換するデータ変換装置のデータ変換方法であって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換ステップとを含むことを特徴とする。
【００１９】
本発明の第１の記録媒体のプログラムは、少なくとも第１のアクセスユニットと第２のアクセスユニットから構成される入力データのうちの少なくとも一部の表現形式を変換する装置を制御するコンピュータに実行させるプログラムであって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換ステップとを含むことを特徴とする。
【００２０】
本発明の第１のプログラムは、少なくとも第１のアクセスユニットと第２のアクセスユニットから構成される入力データのうちの少なくとも一部の表現形式を変換する装置を制御するコンピュータに実行させるプログラムであって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換ステップとを含むことを特徴とする。
【００２１】
本発明の第１のデータ変換装および方法、第１の記録媒体、並びに、第１のプログラムにおいては、少なくとも第１のアクセスユニットと第２のアクセスユニットから構成される入力データのうちの少なくとも一部の表現形式が変換される。詳細には、第１のアクセスユニットから、１以上の第１の領域が設定される。次に、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する処理領域として設定され、その処理領域から複数の処理データが設定される。次に、設定された１以上の処理領域のそれぞれが１以上の分析対象のそれぞれに設定され、１つの処理領域を構成する複数の処理データのそれぞれの表現形式を変換するための基底が、分析対象毎に個別に生成される。そして、設定された１以上の処理領域のそれぞれが処理対象に１つずつ順次設定され、処理対象の処理領域が分析対象として設定されたときに分析手段により生成された基底を利用して、処理対象の処理領域を構成する複数の処理データのそれぞれの表現形式が変換される。
【００２２】
本発明の第１のデータ逆変換装置は、少なくとも第１のアクセスユニットと第２のアクセスユニットから構成される入力データが元データとされて、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として入力されるデータ逆変換装置であって、入力データから、１以上の第２の処理領域のそれぞれと、それぞれに対応づけられた基底のそれぞれとを分離する分離手段と、分離手段により入力データから分離された１以上の第２の処理領域のそれぞれを処理対象に１つずつ順次設定し、分離手段により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換手段と、逆変換手段により生成された１以上の差分領域のそれぞれに対応する１以上の第２の領域のそれぞれを、第２のアクセスユニットから抽出する抽出手段と、逆変換手段により生成された１以上の差分領域のそれぞれと、抽出手段により抽出された１以上の第２の領域のうちの対応する１つとを加算することで、第１のアクセスユニットから設定された１以上の第１の領域のそれぞれを生成する加算手段とを備えることを特徴とする。
【００２３】
本発明の第１のデータ逆変換方法は、少なくとも第１のアクセスユニットと第２のアクセスユニットから構成される入力データが元データとされて、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として入力されるデータ逆変換装置のデータ逆変換方法であって、入力データから、１以上の第２の処理領域のそれぞれと、それぞれに対応づけられた基底のそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、逆変換ステップの処理により生成された１以上の差分領域のそれぞれに対応する１以上の第２の領域のそれぞれを、第２のアクセスユニットから抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００２４】
本発明の第２の記録媒体のプログラムは、少なくとも第１のアクセスユニットと第２のアクセスユニットから構成される入力データが元データとされて、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として入力される装置を制御するコンピュータに実行させるプログラムであって、入力データから、１以上の第２の処理領域のそれぞれと、それぞれに対応づけられた基底のそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、逆変換ステップの処理により生成された１以上の差分領域のそれぞれに対応する１以上の第２の領域のそれぞれを、第２のアクセスユニットから抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００２５】
本発明の第２のプログラムは、少なくとも第１のアクセスユニットと第２のアクセスユニットから構成される入力データが元データとされて、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として入力される装置を制御するコンピュータに実行させるプログラムであって、入力データから、１以上の第２の処理領域のそれぞれと、それぞれに対応づけられた基底のそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、逆変換ステップの処理により生成された１以上の差分領域のそれぞれに対応する１以上の第２の領域のそれぞれを、第２のアクセスユニットから抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００２６】
本発明の第１のデータ逆変換装置および方法、第２の記録媒体、並びに第２のプログラムにおいては、少なくとも第１のアクセスユニットと第２のアクセスユニットから構成される入力データが元データとされて、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として入力される。次に、入力データから、１以上の第２の処理領域のそれぞれと、それぞれに対応づけられた基底のそれぞれとが分離される。次に、入力データから分離された１以上の第２の処理領域のそれぞれが処理対象に１つずつ順次設定され、入力データから分離された基底のうちの処理対象の第２の処理領域に対応付けられた基底を利用して、処理対象の第２の処理領域を構成する複数の処理データのそれぞれの表現形式が逆変換されることで、１以上の差分領域のそれぞれが生成される。また、生成された１以上の差分領域のそれぞれに対応する１以上の第２の領域のそれぞれが、第２のアクセスユニットから抽出される。そして、生成された１以上の差分領域のそれぞれと、抽出された１以上の第２の領域のうちの対応する１つとが加算されることで、第１のアクセスユニットから設定された１以上の第１の領域のそれぞれが生成される。
【００２７】
本発明の第２のデータ変換装置は、少なくとも第１のアクセスユニットと第２のアクセスユニットから構成される入力データのうちの第１のアクセスユニットから、１以上の第１の領域を設定する第１の設定手段と、第１の設定手段により設定された１以上の第１の領域のそれぞれを処理対象に１つずつ順次設定し、処理対象の第１の領域についての、第２のアクセスユニットに対する動きベクトルを推定する動きベクトル推定手段と、第１の設定手段により設定された１以上の第１の領域のそれぞれを処理対象に１つずつ順次設定し、第２のアクセスユニットにおける、処理対象の第１の領域の位置から、動きベクトル推定手段により推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定する第２の設定手段と、第２の設定手段により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析手段と、第２の設定手段により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換手段とを備えることを特徴とする。
【００２８】
入力データに対してアナログ歪みを生じさせるアナログ歪み生成手段をさらに設けるようにすることができる。
【００２９】
分析手段は、処理対象の処理領域について、設定された分析領域を複数の分析データに分割し、複数の分析データを対象とする主成分分析を行うことで、処理対象の処理領域を構成する複数の処理データの表現形式を変換するための基底を生成するようにすることができる。
【００３０】
変換手段により表現形式が変換された複数の処理データから構成される１以上の処理領域のそれぞれを処理対象に１つずつ順次設定し、処理対象の処理領域に対して、動きベクトル推定手段により推定された動きベクトルのうちの、処理対象の処理領域に対応する第１の領域についての動きベクトルを対応付けて重畳し、その結果得られるデータを出力する出力手段をさらに設けるようにすることができる。
【００３１】
本発明の第２のデータ変換方法は、少なくとも第１のアクセスユニットと第２のアクセスユニットから構成される入力データのうちの少なくとも一部の表現形式を変換するデータ変換装置のデータ変換方法であって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域についての、第２のアクセスユニットに対する動きベクトルを推定する動きベクトル推定ステップと、第１の設定ステップの処理により設定された１以上の第１の領域のそれぞれを処理対象に１つずつ順次設定し、第２のアクセスユニットにおける、処理対象の第１の領域の位置から、動きベクトル推定ステップの処理により推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析ステップの処理により生成された基底を利用して、処理対象の処理領域を構成する複数の処理データのそれぞれの表現形式を変換する変換ステップとを含むことを特徴とする。
【００３２】
入力データに対してアナログ歪みを生じさせるアナログ歪み生成ステップをさらに含むようにすることができる。
【００３３】
分析ステップは、処理対象の処理領域について、設定された分析領域を複数の分析データに分割し、複数の分析データを対象とする主成分分析を行うことで、処理対象の処理領域を構成する複数の処理データの表現形式を変換するための基底を生成するステップであるようにすることができる。
【００３４】
変換ステップの処理により表現形式が変換された複数の処理データから構成される１以上の処理領域のそれぞれを処理対象に１つずつ順次設定し、処理対象の処理領域に対して、動きベクトル推定ステップの処理により推定された動きベクトルのうちの、処理対象の処理領域に対応する第１の領域についての動きベクトルを対応付けて重畳し、その結果得られるデータをデータ変換装置が出力することを制御する出力制御ステップをさらに含むようにすることができる。
【００３５】
本発明の第３の記録媒体のプログラムは、少なくとも第１のアクセスユニットと第２のアクセスユニットから構成される入力データのうちの少なくとも一部の表現形式を変換する装置を制御するコンピュータに実行させるプログラムであって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域についての、第２のアクセスユニットに対する動きベクトルを推定する動きベクトル推定ステップと、第１の設定ステップの処理により設定された１以上の第１の領域のそれぞれを処理対象に１つずつ順次設定し、第２のアクセスユニットにおける、処理対象の第１の領域の位置から、動きベクトル推定ステップの処理により推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析ステップの処理により生成された基底を利用して、処理対象の処理領域を構成する複数の処理データのそれぞれの表現形式を変換する変換ステップとを含むことを特徴とする。
【００３６】
本発明の第３のプログラムは、少なくとも第１のアクセスユニットと第２のアクセスユニットから構成される入力データのうちの少なくとも一部の表現形式を変換する装置を制御するコンピュータに実行させるプログラムであって、第１のアクセスユニットから、１以上の第１の領域を設定する第１の設定ステップと、第１の設定ステップの処理により設定された１以上の第１の領域のそれぞれを処理対象に１つずつ順次設定し、処理対象の第１の領域についての、第２のアクセスユニットに対する動きベクトルを推定する動きベクトル推定ステップと、第１の設定ステップの処理により設定された１以上の第１の領域のそれぞれを処理対象に１つずつ順次設定し、第２のアクセスユニットにおける、処理対象の第１の領域の位置から、動きベクトル推定ステップの処理により推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定する第２の設定ステップと、第２の設定ステップの処理により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析ステップと、第２の設定ステップの処理により設定された１以上の処理領域のそれぞれを処理対象に１つずつ順次設定し、処理対象の処理領域が分析対象として設定されたときに分析ステップの処理により生成された基底を利用して、処理対象の処理領域を構成する複数の処理データのそれぞれの表現形式を変換する変換ステップとを含むことを特徴とする。
【００３７】
本発明の第２のデータ変換装置および方法、第３の記録媒体、並びに、第３のプログラムにおいては、少なくとも第１のアクセスユニットと第２のアクセスユニットから構成される入力データのうちの少なくとも一部の表現形式を変換される。詳細には、第１のアクセスユニットから、１以上の第１の領域が設定される。次に、設定された１以上の第１の領域のそれぞれが処理対象に１つずつ順次設定され、処理対象の第１の領域についての、第２のアクセスユニットに対する動きベクトルが推定される。次に、設定された１以上の第１の領域のそれぞれが処理対象に１つずつ順次設定され、第２のアクセスユニットにおける、処理対象の第１の領域の位置から、推定された処理対象の第１の領域についての動きベクトルに対応する分だけ離間している第２の領域が抽出され、処理対象の第１の領域と抽出された第２の領域との差分が算出され、その結果得られる差分領域が、処理対象の第１の領域に対応する処理領域として設定され、その処理領域から複数の処理データが設定される。次に、設定された１以上の処理領域のそれぞれが１以上の分析対象のそれぞれに設定され、１つの処理領域を構成する複数の処理データのそれぞれの表現形式を変換するための基底が、分析対象毎に個別に生成される。そして、設定された１以上の処理領域のそれぞれが処理対象に１つずつ順次設定され、処理対象の処理領域が分析対象として設定されたときに生成された基底を利用して、処理対象の処理領域を構成する複数の処理データのそれぞれの表現形式が変換される。
【００３８】
本発明の第２のデータ逆変換装置は、少なくとも第１のアクセスユニットと第２のアクセスユニットから構成されるデータが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として入力されるデータ逆変換装置であって、入力データから、１以上の第２の処理領域のそれぞれと、それぞれに対応づけられた基底のそれぞれと動きベクトルのそれぞれとを分離する分離手段と、分離手段により入力データから分離された１以上の第２の処理領域のそれぞれを処理対象に１つずつ順次設定し、分離手段により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換手段と、分離手段により入力データから分離された１以上の第２の処理領域のそれぞれを処理対象に１つずつ順次設定し、第２のアクセスユニットにおける、処理対象の第２の処理領域の位置から、分離手段により入力データから分離された動きベクトルのうちの処理対象の第２の処理領域に対応付けられた動きベクトル分だけ離間した領域を、処理対象の第２の処理領域に対応する第２の領域として抽出する抽出手段と、逆変換手段により生成された１以上の差分領域のそれぞれと、抽出手段により抽出された１以上の第２の領域のうちの対応する１つとを加算することで、第１のアクセスユニットから設定された１以上の第１の領域のそれぞれを生成する加算手段とを備えることを特徴とする。
【００３９】
元データにはアナログ歪みが生じているようにすることができる。
【００４０】
本発明の第２のデータ逆変換方法は、少なくとも第１のアクセスユニットと第２のアクセスユニットから構成されるデータが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として入力されるデータ逆変換装置のデータ逆変換方法であって、入力データから、１以上の第２の処理領域のそれぞれと、それぞれに対応づけられた基底のそれぞれと、それぞれに対応する動きベクトルのそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、分離ステップの処理により入力データから分離された１以上の第２の処理領域のそれぞれを処理対象に１つずつ順次設定し、第２のアクセスユニットにおける、処理対象の第２の処理領域の位置から、分離ステップの処理により入力データから分離された動きベクトルのうちの処理対象の第２の処理領域に対応付けられた動きベクトル分だけ離間した領域を、処理対象の第２の処理領域に対応する第２の領域として抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００４１】
元データにはアナログ歪みが生じているようにすることができる。
【００４２】
本発明の第４の記録媒体のプログラムは、少なくとも第１のアクセスユニットと第２のアクセスユニットから構成されるデータが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として入力される装置を制御するコンピュータに実行させるプログラムであって、入力データから、１以上の第２の処理領域のそれぞれと、それぞれに対応づけられた基底のそれぞれと、それぞれに対応する動きベクトルのそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、分離ステップの処理により入力データから分離された１以上の第２の処理領域のそれぞれを処理対象に１つずつ順次設定し、第２のアクセスユニットにおける、処理対象の第２の処理領域の位置から、分離ステップの処理により入力データから分離された動きベクトルのうちの処理対象の第２の処理領域に対応付けられた動きベクトル分だけ離間した領域を、処理対象の第２の処理領域に対応する第２の領域として抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００４３】
本発明の第４のプログラムは、少なくとも第１のアクセスユニットと第２のアクセスユニットから構成されるデータが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として入力される装置を制御するコンピュータに実行させるプログラムであって、入力データから、１以上の第２の処理領域のそれぞれと、それぞれに対応づけられた基底のそれぞれと、それぞれに対応する動きベクトルのそれぞれとを分離する分離ステップと、分離ステップの処理により入力データから分離された１以上の第２の処理領域のそれぞれを処理対象に１つずつ順次設定し、分離ステップの処理により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換ステップと、分離ステップの処理により入力データから分離された１以上の第２の処理領域のそれぞれを処理対象に１つずつ順次設定し、第２のアクセスユニットにおける、処理対象の第２の処理領域の位置から、分離ステップの処理により入力データから分離された動きベクトルのうちの処理対象の第２の処理領域に対応付けられた動きベクトル分だけ離間した領域を、処理対象の第２の処理領域に対応する第２の領域として抽出する抽出ステップと、逆変換ステップの処理により生成された１以上の差分領域のそれぞれと、抽出ステップの処理により抽出された１以上の第２の領域のうちの対応する１つとを加算することで、第１のアクセスユニットから設定された１以上の第１の領域のそれぞれを生成する加算ステップとを含むことを特徴とする。
【００４４】
本発明の第２のデータ逆変換装置および方法、第４の記録媒体、並びに、第４のプログラムにおいては、少なくとも第１のアクセスユニットと第２のアクセスユニットから構成されるデータが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として入力される。次に、入力データから、１以上の第２の処理領域のそれぞれと、それぞれに対応づけられた基底のそれぞれと、それぞれに対応する動きベクトルのそれぞれとが分離される。次に、入力データから分離された１以上の第２の処理領域のそれぞれが処理対象に１つずつ順次設定され、入力データから分離された基底のうちの処理対象の第２の処理領域に対応付けられた基底を利用して、処理対象の第２の処理領域を構成する複数の処理データのそれぞれの表現形式が逆変換されることで、１以上の差分領域のそれぞれが生成される。また、入力データから分離された１以上の第２の処理領域のそれぞれが処理対象に１つずつ順次設定され、第２のアクセスユニットにおける、処理対象の第２の処理領域の位置から、入力データから分離された動きベクトルのうちの処理対象の第２の処理領域に対応付けられた動きベクトル分だけ離間した領域が、処理対象の第２の処理領域に対応する第２の領域として抽出される。そして、生成された１以上の差分領域のそれぞれと、抽出された１以上の第２の領域のうちの対応する１つとが加算されることで、第１のアクセスユニットから設定された１以上の第１の領域のそれぞれが生成される。
【００４５】
本発明の第１の情報処理システムは、画像データの表現形式を変換する変換部と、画像データの、変換部により変換された表現形式を逆変換する逆変換部とを構成要素として含む情報処理システムであって、変換部は、少なくとも第１のアクセスユニットと第２のアクセスユニットから構成される画像データが入力データとして入力され、第１のアクセスユニットから、１以上の第１の領域を設定する第１の設定手段と、第１の設定手段により設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定する第２の設定手段と、第２の設定手段により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析手段と、第２の設定手段により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換手段とを有することを特徴とする。
【００４６】
第１の情報処理システムは、変換部の入力データに対してアナログ歪みを生じさせるアナログ歪み生成部を構成要素としてさらに含むようにすることができる。
【００４７】
本発明の第１の情報処理方法は、画像データの表現形式を変換する変換部と、画像データの、変換部により変換された表現形式を逆変換する逆変換部とを構成要素として含む情報処理システムの情報処理方法であって、変換部は、少なくとも第１のアクセスユニットと第２のアクセスユニットから構成される画像データが入力データとして入力され、第１のアクセスユニットから、１以上の第１の領域を設定し、設定された１以上の第１の領域のそれぞれを処理対象に１つずつ順次設定し、処理対象の第１の領域と、第２のアクセスユニットにおける処理対象の第１の領域に対応する第２の領域との差分を算出し、その結果得られる差分領域を、処理対象の第１の領域に対応する処理領域として設定し、その処理領域から複数の処理データを設定し、設定された１以上の処理領域のそれぞれを１以上の分析対象のそれぞれに設定し、１つの処理領域を構成する複数の処理データのそれぞれの表現形式を変換するための基底を、分析対象毎に個別に生成し、設定された１以上の処理領域のそれぞれを処理対象に１つずつ順次設定し、処理対象の処理領域が分析対象として設定されたときに生成された基底を利用して、処理対象の処理領域を構成する複数の処理データのそれぞれの表現形式を変換することを特徴とする。
【００４８】
情報処理システムは、画像データに対してアナログ歪みを生じさせるアナログ歪み生成部を構成要素としてさらに含み、アナログ歪み生成部は、変換部の入力データに対してアナログ歪みを生じさせるようにすることができる。
【００４９】
本発明の第１の情報処理システムおよび方法においては、少なくとも第１のアクセスユニットと第２のアクセスユニットから構成される画像データが入力データとして入力される変換部により、第１のアクセスユニットから１以上の第１の領域が設定され、設定された１以上の第１の領域のそれぞれが処理対象に１つずつ順次設定され、処理対象の第１の領域と第２のアクセスユニットにおける処理対象の第１の領域に対応する第２の領域との差分が算出され、その結果得られる差分領域が処理対象の第１の領域に対応する処理領域として設定され、その処理領域から複数の処理データが設定され、設定された１以上の処理領域のそれぞれが１以上の分析対象のそれぞれに設定され、１つの処理領域を構成する複数の処理データのそれぞれの表現形式を変換するための基底が分析対象毎に個別に生成され、設定された１以上の処理領域のそれぞれが処理対象に１つずつ順次設定され、処理対象の処理領域が分析対象として設定されたときに生成された基底を利用して処理対象の処理領域を構成する複数の処理データのそれぞれの表現形式が変換される。
【００５０】
本発明の第２の情報処理システムは、画像データの表現形式を変換する変換部と、画像データの、変換部により変換された表現形式を逆変換する逆変換部とを構成要素として含む情報処理システムであって、変換部は、少なくとも第１のアクセスユニットと第２のアクセスユニットから構成される画像データが入力データとして入力され、第１のアクセスユニットから、１以上の第１の領域を設定する第１の設定手段と、第１の設定手段により設定された１以上の第１の領域のそれぞれを処理対象に１つずつ順次設定し、処理対象の第１の領域についての、第２のアクセスユニットに対する動きベクトルを推定する動きベクトル推定手段と、第１の設定手段により設定された１以上の第１の領域のそれぞれを処理対象に１つずつ順次設定し、第２のアクセスユニットにおける、処理対象の第１の領域の位置から、動きベクトル推定手段により推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定する第２の設定手段と、第２の設定手段により設定された１以上の処理領域のそれぞれを１以上の分析対象のそれぞれに設定し、１つの処理領域を構成する複数の処理データのそれぞれの表現形式を変換するための基底を、分析対象毎に個別に生成する分析手段と、第２の設定手段により設定された１以上の処理領域のそれぞれを処理対象に１つずつ順次設定し、処理対象の処理領域が分析対象として設定されたときに分析手段により生成された基底を利用して、処理対象の処理領域を構成する複数の処理データのそれぞれの表現形式を変換する変換手段とを有することを特徴とする。
【００５１】
第２の情報処理システムは、変換部の入力データに対してアナログ歪みを生じさせるアナログ歪み生成部を構成要素としてさらに含むようにすることができる。
【００５２】
本発明の第２の情報処理方法は、画像データの表現形式を変換する変換部と、画像データの、変換部により変換された表現形式を逆変換する逆変換部とを構成要素として含む情報処理システムの情報処理方法であって、変換部は、少なくとも第１のアクセスユニットと第２のアクセスユニットから構成される画像データが入力データとして入力され、第１のアクセスユニットから、１以上の第１の領域を設定し、設定された１以上の第１の領域のそれぞれを処理対象に１つずつ順次設定し、処理対象の第１の領域についての、第２のアクセスユニットに対する動きベクトルを推定し、設定された１以上の第１の領域のそれぞれを処理対象に１つずつ順次設定し、第２のアクセスユニットにおける、処理対象の第１の領域の位置から、推定された処理対象の第１の領域についての動きベクトルに対応する分だけ離間している第２の領域を抽出し、処理対象の第１の領域と抽出された第２の領域との差分を算出し、その結果得られる差分領域を、処理対象の第１の領域に対応する処理領域として設定し、その処理領域から複数の処理データを設定し、設定された１以上の処理領域のそれぞれを１以上の分析対象のそれぞれに設定し、１つの処理領域を構成する複数の処理データのそれぞれの表現形式を変換するための基底を、分析対象毎に個別に生成し、設定された１以上の処理領域のそれぞれを処理対象に１つずつ順次設定し、処理対象の処理領域が分析対象として設定されたときに生成された基底を利用して、処理対象の処理領域を構成する複数の処理データのそれぞれの表現形式を変換することを特徴とする。
【００５３】
情報処理システムは、画像データに対してアナログ歪みを生じさせるアナログ歪み生成部を構成要素としてさらに含み、アナログ歪み生成部は、変換部の入力データに対してアナログ歪みを生じさせるようにすることができる。
【００５４】
本発明の第２の情報処理装置および方法においては、少なくとも第１のアクセスユニットと第２のアクセスユニットから構成される画像データが入力データとして入力される変換部により、第１のアクセスユニットから１以上の第１の領域が設定され、設定された１以上の第１の領域のそれぞれが処理対象に１つずつ順次設定され、処理対象の第１の領域についての第２のアクセスユニットに対する動きベクトルが推定され、設定された１以上の第１の領域のそれぞれが処理対象に１つずつ順次設定され、第２のアクセスユニットにおける処理対象の第１の領域の位置から推定された処理対象の第１の領域についての動きベクトルに対応する分だけ離間している第２の領域が抽出され、処理対象の第１の領域と抽出された第２の領域との差分が算出され、その結果得られる差分領域が処理対象の第１の領域に対応する処理領域として設定され、その処理領域から複数の処理データが設定され、設定された１以上の処理領域のそれぞれが１以上の分析対象のそれぞれに設定され、１つの処理領域を構成する複数の処理データのそれぞれの表現形式を変換するための基底が分析対象毎に個別に生成され、設定された１以上の処理領域のそれぞれが処理対象に１つずつ順次設定され、処理対象の処理領域が分析対象として設定されたときに生成された基底を利用して、処理対象の処理領域を構成する複数の処理データのそれぞれの表現形式が変換される。
【００５５】
本発明の第３の情報処理システムは、画像データの表現形式を変換する変換部と、画像データの、変換部により変換された表現形式を逆変換する逆変換部とを構成要素として含む情報処理システムであって、変換部、または、変換部以外の装置により、少なくとも第１のアクセスユニットと第２のアクセスユニットから構成される画像データが元データとされ、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として逆変換部に入力され、逆変換部は、入力データから、１以上の第２の処理領域のそれぞれと、それぞれに対応づけられた基底のそれぞれとを分離する分離手段と、分離手段により入力データから分離された１以上の第２の処理領域のそれぞれを処理対象に１つずつ順次設定し、分離手段により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換手段と、逆変換手段により生成された１以上の差分領域のそれぞれに対応する１以上の第２の領域のそれぞれを、第２のアクセスユニットから抽出する抽出手段と、逆変換手段により生成された１以上の差分領域のそれぞれと、抽出手段により抽出された１以上の第２の領域のうちの対応する１つとを加算することで、第１のアクセスユニットから設定された１以上の第１の領域のそれぞれを生成する加算手段とを有することを特徴とする。
【００５６】
第３の情報処理システムは、元データに対してアナログ歪みを生じさせるアナログ歪み生成部を構成要素としてさらに含むようにすることができる。
【００５７】
本発明の第３の情報処理方法は、画像データの表現形式を変換する変換部と、画像データの、変換部により変換された表現形式を逆変換する逆変換部とを構成要素として含む情報処理システムの情報処理方法であって、変換部、または、変換部以外の装置により、少なくとも第１のアクセスユニットと第２のアクセスユニットから構成される画像データが元データとされ、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として逆変換部に入力され、逆変換部は、入力データから、１以上の第２の処理領域のそれぞれと、それぞれに対応づけられた基底のそれぞれとを分離し、入力データから分離された１以上の第２の処理領域のそれぞれを処理対象に１つずつ順次設定し、入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成し、生成された１以上の差分領域のそれぞれに対応する１以上の第２の領域のそれぞれを、第２のアクセスユニットから抽出し、生成された１以上の差分領域のそれぞれと、抽出された１以上の第２の領域のうちの対応する１つとを加算することで、第１のアクセスユニットから設定された１以上の第１の領域のそれぞれを生成することを特徴とする。
【００５８】
情報処理システムは、画像データに対してアナログ歪みを生じさせるアナログ歪み生成部を構成要素としてさらに含み、アナログ歪み生成部は、元データに対してアナログ歪みを生じさせるようにすることができる。
【００５９】
本発明の第３の情報処理装置および方法においては、変換部、または、変換部以外の装置により、少なくとも第１のアクセスユニットと第２のアクセスユニットから構成される画像データが元データとされ、第１のアクセスユニットから、１以上の第１の領域が設定され、設定された１以上の第１の領域のそれぞれが処理対象に１つずつ順次設定され、処理対象の第１の領域と、第２のアクセスユニットにおける処理対象の第１の領域に対応する第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底がそれぞれ対応付けられて重畳されたデータが、入力データのうちの少なくとも一部として逆変換部に入力される。逆変換部により、入力データから１以上の第２の処理領域のそれぞれとそれぞれに対応づけられた基底のそれぞれとが分離され、入力データから分離された１以上の第２の処理領域のそれぞれが処理対象に１つずつ順次設定され、入力データから分離された基底のうちの処理対象の第２の処理領域に対応付けられた基底を利用して処理対象の第２の処理領域を構成する複数の処理データのそれぞれの表現形式が逆変換されることで１以上の差分領域のそれぞれが生成され、生成された１以上の差分領域のそれぞれに対応する１以上の第２の領域のそれぞれが第２のアクセスユニットから抽出され、生成された１以上の差分領域のそれぞれと抽出された１以上の第２の領域のうちの対応する１つとが加算されることで、第１のアクセスユニットから設定された１以上の第１の領域のそれぞれが生成される。
【００６０】
本発明の第４の情報処理システムは、画像データの表現形式を変換する変換部と、画像データの、変換部により変換された表現形式を逆変換する逆変換部とを構成要素として含む情報処理システムであって、変換部、または、変換部以外の装置により、少なくとも第１のアクセスユニットと第２のアクセスユニットから構成される画像データが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として逆変換部に入力され、逆変換部は、入力データから、１以上の第２の処理領域のそれぞれと、それぞれに対応づけられた基底のそれぞれと動きベクトルのそれぞれとを分離する分離手段と、分離手段により入力データから分離された１以上の第２の処理領域のそれぞれを処理対象に１つずつ順次設定し、分離手段により入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成する逆変換手段と、分離手段により入力データから分離された１以上の第２の処理領域のそれぞれを処理対象に１つずつ順次設定し、第２のアクセスユニットにおける、処理対象の第２の処理領域の位置から、分離手段により入力データから分離された動きベクトルのうちの処理対象の第２の処理領域に対応付けられた動きベクトル分だけ離間した領域を、処理対象の第２の処理領域に対応する第２の領域として抽出する抽出手段と、逆変換手段により生成された１以上の差分領域のそれぞれと、抽出手段により抽出された１以上の第２の領域のうちの対応する１つとを加算することで、第１のアクセスユニットから設定された１以上の第１の領域のそれぞれを生成する加算手段とを有することを特徴とする。
【００６１】
第４の情報処理システムは、元データに対してアナログ歪みを生じさせるアナログ歪み生成部を構成要素としてさらに含むようにすることができる。
【００６２】
本発明の第４の情報処理方法は、画像データの表現形式を変換する変換部と、画像データの、変換部により変換された表現形式を逆変換する逆変換部とを構成要素として含む情報処理システムの情報処理方法であって、変換部、または、変換部以外の装置により、少なくとも第１のアクセスユニットと第２のアクセスユニットから構成される画像データが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として逆変換部に入力され、逆変換部は、入力データから、１以上の第２の処理領域のそれぞれと、それぞれに対応づけられた基底のそれぞれと動きベクトルのそれぞれとを分離し、入力データから分離された１以上の第２の処理領域のそれぞれを処理対象に１つずつ順次設定し、入力データから分離された基底のうちの処理対象の第２の処理領域に対応付けられた基底を利用して、処理対象の第２の処理領域を構成する複数の処理データのそれぞれの表現形式を逆変換することで、１以上の差分領域のそれぞれを生成し、入力データから分離された１以上の第２の処理領域のそれぞれを処理対象に１つずつ順次設定し、第２のアクセスユニットにおける、処理対象の第２の処理領域の位置から、入力データから分離された動きベクトルのうちの処理対象の第２の処理領域に対応付けられた動きベクトル分だけ離間した領域を、処理対象の第２の処理領域に対応する第２の領域として抽出し、生成された１以上の差分領域のそれぞれと、抽出された１以上の第２の領域のうちの対応する１つとを加算することで、第１のアクセスユニットから設定された１以上の第１の領域のそれぞれを生成することを特徴とする。
【００６３】
情報処理システムは、画像データに対してアナログ歪みを生じさせるアナログ歪み生成部を構成要素としてさらに含み、アナログ歪み生成部は、元データに対してアナログ歪みを生じさせるようにすることができる。
【００６４】
本発明の第４の情報処理装置および方法においては、変換部、または、変換部以外の装置により、少なくとも第１のアクセスユニットと第２のアクセスユニットから構成される画像データが元データとされて、第１のアクセスユニットから、１以上の第１の領域が設定され、設定された１以上の第１の領域のそれぞれが処理対象に１つずつ順次設定され、処理対象の第１の領域についての、第２のアクセスユニットに対する動きベクトルが推定され、設定された１以上の第１の領域のそれぞれが処理対象に１つずつ順次設定され、第２のアクセスユニットにおける、処理対象の第１の領域の位置から、処理対象の第１の領域についての動きベクトルに対応する分だけ離間している第２の領域を抽出し、処理対象の第１の領域と抽出された第２の領域との差分が算出され、その結果得られる差分領域が、処理対象の第１の領域に対応する第１の処理領域として設定され、その第１の処理領域から複数の処理データが設定され、設定された１以上の第１の処理領域のそれぞれが１以上の分析対象のそれぞれに設定され、１つの第１の処理領域を構成する複数の処理データのそれぞれの表現形式を変換するための基底が、分析対象毎に個別に生成され、設定された１以上の第１の処理領域のそれぞれが処理対象に１つずつ順次設定され、処理対象の第１の処理領域が分析対象として設定されたときに生成された基底を利用して、処理対象の第１の処理領域を構成する複数の処理データのそれぞれの表現形式が変換され、その結果、表現形式が変換された複数の処理データから構成される１以上の第２の処理領域のそれぞれが生成され、生成された１以上の第２の処理領域のそれぞれに対して、それぞれの生成に利用された基底と、それぞれに対応する動きベクトルとがそれぞれ対応付けられて重畳されたデータが、入力データのうちの少なくとも一部として逆変換部に入力される。逆変換部により、入力データから１以上の第２の処理領域のそれぞれと対応づけられた基底のそれぞれと動きベクトルのそれぞれとが分離され、入力データから分離された１以上の第２の処理領域のそれぞれが処理対象に１つずつ順次設定され、入力データから分離された基底のうちの処理対象の第２の処理領域に対応付けられた基底を利用して処理対象の第２の処理領域を構成する複数の処理データのそれぞれの表現形式が逆変換されることで１以上の差分領域のそれぞれが生成され、入力データから分離された１以上の第２の処理領域のそれぞれが処理対象に１つずつ順次設定され、第２のアクセスユニットにおける処理対象の第２の処理領域の位置からそれに対応付けられた動きベクトル分だけ離間した領域が処理対象の第２の処理領域に対応する第２の領域として抽出され、生成された１以上の差分領域のそれぞれと抽出された１以上の第２の領域のうちの対応する１つとが加算されることで、第１のアクセスユニットから設定された１以上の第１の領域のそれぞれが生成される。
【発明の効果】
【００６５】
以上のごとく、本発明によれば、画像データの符号化や復号を行うことができる。特に、画像が表示されなくなったり、回路規模の増大を招いたりといった不都合を発生させることなく、２回目以降の符号化や復号では画像データを著しく劣化させることで、アナログ画像信号を利用した不正コピーを防止するようにすることができる。
【発明を実施するための最良の形態】
【００６６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００６７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００６８】
本発明によれば、第１のデータ変換装置が提供される。この第１のデータ変換装置は、
少なくとも第１のアクセスユニットと第２のアクセスユニットから構成される入力データのうちの前記第１のアクセスユニットから、１以上の第１の領域を設定する第１の設定手段（例えば、図３の大ブロック化部２４２）と、
前記第１の設定手段により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定手段（例えば、図３の残差算出部２４２や小ブロック化部２４５）と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段（例えば、図３の直交変換基底生成部２４６）と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段（例えば、図３の直交変換符号化部２４７）と
を備えることを特徴とする。
【００６９】
本発明によれば、上述した第１のデータ変換装置の第１のデータ変換方法が提供される。この第１のデータ変換方法は、
前記第１のアクセスユニットから、１以上の第１の領域を設定する第１の設定ステップ（例えば、図１０のステップＳ１６２）と、
前記第１の設定ステップの処理により設定された１以上の前記第１の領域のそれぞれを処理対象に１つずつ順次設定し、処理対象の前記第１の領域と、前記第２のアクセスユニットにおける処理対象の前記第１の領域に対応する第２の領域との差分を算出し、その結果得られる差分領域を、処理対象の前記第１の領域に対応する処理領域として設定し、その処理領域から複数の処理データを設定する第２の設定ステップ（例えば、図１０のステップＳ１６４やＳ１６５）と、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップ（例えば、図１０のステップＳ１６６）と、
前記第２の設定ステップの処理により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換ステップ（例えば、図１０のステップＳ１６７）と
を含むことを特徴とする。
【００７０】
本発明によれば、上述した本発明の第１のデータ変換方法に対応するプログラムや、そのプログラムを記録した記録媒体も提供される。詳細については後述するが、このプログラムは、例えば、図１８のリムーバブル記録媒体５１１や、記憶部５０８に含まれるハードディスク等の記録媒体に記録され、図１８の構成のコンピュータにより実行される。
【００７１】
本発明によれば、第１のデータ逆変換装置が提供される。この第１のデータ逆変換装置は、
少なくとも第１のアクセスユニットと第２のアクセスユニットから構成される入力データが元データとされて、
前記第１のアクセスユニットから、１以上の第１の領域が設定され、
設定された１以上の前記第１の領域のそれぞれが処理対象に１つずつ順次設定され、処理対象の前記第１の領域と、前記第２のアクセスユニットにおける処理対象の前記第１の領域に対応する第２の領域との差分が算出され、その結果得られる差分領域が、処理対象の前記第１の領域に対応する第１の処理領域として設定され、その第１の処理領域から複数の処理データが設定され、
設定された１以上の前記第１の処理領域のそれぞれが１以上の分析対象のそれぞれに設定され、１つの前記第１の処理領域を構成する複数の前記処理データのそれぞれの表現形式を変換するための基底が、分析対象毎に個別に生成され、
設定された１以上の前記第１の処理領域のそれぞれが処理対象に１つずつ順次設定され、処理対象の前記第１の処理領域が分析対象として設定されたときに生成された前記基底を利用して、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータ（例えば、図３の符号化部５２から出力され、図１１の入力部２９１に入力される符号化デジタル画像信号Vcd）が、入力データのうちの少なくとも一部として入力されるデータ逆変換装置であって、
前記入力データから、１以上の前記第２の処理領域のそれぞれと、それぞれに対応づけられた前記基底のそれぞれとを分離する分離手段（例えば、図１１のデータ分解部２９２）と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換手段（例えば、図１１の逆直交変換復号部２９４）と、
前記逆変換手段により生成された１以上の前記差分領域のそれぞれに対応する１以上の前記第２の領域のそれぞれを、前記第２のアクセスユニットから抽出する抽出手段と、
前記逆変換手段により生成された１以上の前記差分領域のそれぞれと、前記抽出手段により抽出された１以上の前記第２の領域のうちの対応する１つとを加算することで、前記第１のアクセスユニットから設定された１以上の前記第１の領域のそれぞれを生成する加算手段（例えば、図１１の加算部２９５）と
を備えることを特徴とする。
【００７２】
本発明によれば、第１のデータ逆変換装置の第１のデータ逆変換方法が提供される。この第１のデータ逆変換方法は、
前記入力データから、１以上の前記第２の処理領域のそれぞれと、それぞれに対応づけられた前記基底のそれぞれとを分離する分離ステップ（例えば、図１２のステップＳ１８２）と、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換することで、１以上の前記差分領域のそれぞれを生成する逆変換ステップ（例えば、図１２のステップＳ１８４）と、
前記逆変換ステップの処理により生成された１以上の前記差分領域のそれぞれに対応する１以上の前記第２の領域のそれぞれを、前記第２のアクセスユニットから抽出する抽出ステップ（例えば、図１２のステップＳ１８３）と、
前記逆変換ステップの処理により生成された１以上の前記差分領域のそれぞれと、前記抽出ステップの処理により抽出された１以上の前記第２の領域のうちの対応する１つとを加算することで、前記第１のアクセスユニットから設定された１以上の前記第１の領域のそれぞれを生成する加算ステップ（例えば、図１２のステップＳ１８５）と
を含むことを特徴とする。
【００７３】
本発明によれば、上述した本発明の第１のデータ逆変換方法に対応するプログラムや、そのプログラムを記録した記録媒体も提供される。詳細については後述するが、このプログラムは、例えば、図１８のリムーバブル記録媒体５１１や、記憶部５０８に含まれるハードディスク等の記録媒体に記録され、図１８の構成のコンピュータにより実行される。
【００７４】
本発明によれば、第２のデータ変換装置が提供される。この第２のデータ変換装置は、
少なくとも第１のアクセスユニットと第２のアクセスユニットから構成される入力データのうちの前記第１のアクセスユニットから、１以上の第１の領域を設定する第１の設定手段（例えば、図３の大ブロック化部２４２）と、
前記第１の設定手段により設定された１以上の前記第１の領域のそれぞれを処理対象に１つずつ順次設定し、処理対象の前記第１の領域についての、前記第２のアクセスユニットに対する動きベクトルを推定する動きベクトル推定手段（例えば、図３の動きベクトル検出部２４３）と、
前記第１の設定手段により設定された１以上の前記第１の領域のそれぞれを処理対象に１つずつ順次設定し、前記第２のアクセスユニットにおける、処理対象の前記第１の領域の位置から、前記動きベクトル推定手段により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定手段（例えば、図３の残差算出部２４２や小ブロック化部２４５）と、
前記第２の設定手段により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析手段（例えば、図３の直交変換基底生成部２４６）と、
前記第２の設定手段により設定された１以上の前記処理領域のそれぞれを処理対象に１つずつ順次設定し、処理対象の前記処理領域が分析対象として設定されたときに前記分析手段により生成された前記基底を利用して、処理対象の前記処理領域を構成する複数の前記処理データのそれぞれの表現形式を変換する変換手段（例えば、図３の直交変換符号化部２４７）と
を備えることを特徴とする。
【００７５】
この第２のデータ変換装置において、
前記入力データに対してアナログ歪みを生じさせるアナログ歪み生成手段（例えば、図１７のアナログ歪み付加部４５１）
をさらに設けるようにすることができる。
【００７６】
この第２のデータ変換装置において、
前記分析手段は、処理対象の前記処理領域について、設定された前記分析領域（例えば、図８の残差大ブロックBLD）を複数の分析データ（例えば、図８の小ブロックBS）に分割し、複数の前記分析データを対象とする主成分分析を行うことで、処理対象の前記処理領域を構成する複数の前記処理データの表現形式を変換するための前記基底を生成する
ようにすることができる。
【００７７】
この第２のデータ変換装置において、
前記変換手段により表現形式が変換された複数の前記処理データから構成される１以上の前記処理領域のそれぞれを処理対象に１つずつ順次設定し、処理対象の前記処理領域に対して、前記動きベクトル推定手段により推定された前記動きベクトルのうちの、処理対象の前記処理領域に対応する前記第１の領域についての前記動きベクトルを対応付けて重畳し、その結果得られるデータを出力する出力手段（例えば、図３の重畳部２４８や出力部２５１）
をさらに設けるようにすることができる。
【００７８】
本発明によれば、上述した第２のデータ変換装置の第２のデータ変換方法が提供される。この第２のデータ変換方法は、
前記第１のアクセスユニットから、１以上の第１の領域を設定する第１の設定ステップ（例えば、図１０のステップＳ１６２）と、
前記第１の設定ステップの処理により設定された１以上の前記第１の領域のそれぞれを処理対象に１つずつ順次設定し、処理対象の前記第１の領域についての、前記第２のアクセスユニットに対する動きベクトルを推定する動きベクトル推定ステップ（例えば、図１０のステップＳ１６３）と、
前記第１の設定ステップの処理により設定された１以上の前記第１の領域のそれぞれを処理対象に１つずつ順次設定し、前記第２のアクセスユニットにおける、処理対象の前記第１の領域の位置から、前記動きベクトル推定ステップの処理により推定された処理対象の前記第１の領域についての前記動きベクトルに対応する分だけ離間している第２の領域を抽出し、処理対象の前記第１の領域と抽出された前記第２の領域との差分を算出し、その結果得られる差分領域を、処理対象の前記第１の領域に対応する処理領域として設定し、その処理領域から複数の処理データを設定する第２の設定ステップ（例えば、図１０のステップＳ１６４やＳ１６５）と、
前記第２の設定ステップの処理により設定された１以上の前記処理領域のそれぞれを１以上の分析対象のそれぞれに設定し、１つの前記処理領域を構成する複数の前記処理データのそれぞれの表現形式を変換するための基底を、分析対象毎に個別に生成する分析ステップ（例えば、図１０のステップＳ１６６）と、
前記第２の設定ステップの処理により設定された１以上の前記処理領域のそれぞれを処理対象に１つずつ順次設定し、処理対象の前記処理領域が分析対象として設定されたときに前記分析ステップの処理により生成された前記基底を利用して、処理対象の前記処理領域を構成する複数の前記処理データのそれぞれの表現形式を変換する変換ステップ（例えば、図１０のステップＳ１６７）と
を含むことを特徴とする。
【００７９】
本発明によれば、上述した本発明の第２のデータ変換方法に対応するプログラムや、そのプログラムを記録した記録媒体も提供される。詳細については後述するが、このプログラムは、例えば、図１８のリムーバブル記録媒体５１１や、記憶部５０８に含まれるハードディスク等の記録媒体に記録され、図１８の構成のコンピュータにより実行される。
【００８０】
また、本発明によれば、上述した本発明の第１のデータ変換装置を含む第１の情報処理システム、および、上述した本発明の第２のデータ変換装置を含む第２の情報処理システムが提供される。さらに、本発明によれば、これらの第１の情報処理システムと第２の情報処理システムのそれぞれに対応する第１の情報処理方法と第２の情報処理方法のそれぞれも提供される。
【００８１】
また、本発明によれば、上述した本発明の第１のデータ逆変換装置を含む第３の情報処理システム、および、上述した本発明の第２のデータ逆変換装置を含む第４の情報処理システムが提供される。さらに、本発明によれば、これらの第３の情報処理システムと第４の情報処理システムのそれぞれに対応する第３の情報処理方法と第４の情報処理方法のそれぞれも提供される。
【００８２】
次に、図面を参照して、本発明の実施の形態について説明する。
【００８３】
図２は、本発明が適用される画像処理システムの構成例を示している。
【００８４】
なお、図２の画像処理システムにおいて、図１の従来の画像表示システムと対応する部分には同一の符号を付してあり、その説明は適宜省略する。ただし、再生装置１から出力されるアナログ画像信号の符号は、図１ではVanとされているが、図２ではVan1とされている。後述するD/A変換部５５から出力されるアナログ画像信号Van2と区別するためである。
【００８５】
図２の例では、画像処理システムは、再生装置１、表示装置２、および記録再生装置３１から構成されている。即ち、図１の従来の画像表示システムに対して記録再生装置３１を付加したシステムが、本発明が適用される画像処理システムの一実施の形態である。
【００８６】
なお、再生装置１から出力されるアナログ画像信号Van1は、アナログ歪みを伴う信号である。ここでいうアナログ歪みとは、信号がD/A変換されるときにその信号に生じる歪み、即ち、その信号に乗るノイズをいう。従って、このアナログ歪みには、例えば、再生装置１のD/A変換部１２により信号がD/A変換されるときにその信号に生じる歪み、具体的には例えば、その信号から高周波成分が除去されることでその信号に生じる歪みや、その信号の位相がずれることでその信号に生じる歪み等が含まれる。なお、このアナログ歪みによる画像の劣化を評価する方法として、S/N(Signal-to-Noise)評価や、視覚評価（視覚的劣化の評価）等がある。また、このアナログ歪みは、自然に生じるものでも良いし、意図的に生じさせるようにしても良い（後述する図１７のアナログ歪み付加部４５１参照）。
【００８７】
図２の例では、記録再生装置３１は、符号化装置４１と復号装置４２とから構成されている。即ち、符号化装置４１が、本発明が適用されるデータ変換装置である符号化装置の一実施の形態であり、復号装置４２が、本発明が適用されるデータ逆変換装置である復号装置４２の一実施の形態である。なお、図２の例では、１台の符号化装置４１と1台の復号装置４２とから１台の記録再生装置３１が構成されているが、符号化装置４１と復号装置４２とを分離して画像処理システムを構成することも容易にできる。
【００８８】
図２の例では、符号化装置４１は、A/D変換部５１、符号化部５２、および記録部５３から構成されている。
【００８９】
A/D変換部５１は、再生装置１から出力されたアナログ画像信号Van1をA/D変換し、その結果得られるデジタル画像信号Vdg1を符号化部５２に供給する。符号化部５２は、そのデジタル画像信号Vdg1を符号化し、その結果得られる符号化デジタル画像信号Vcdを記録部５３に供給する。記録部５３は、その符号化デジタル画像信号Vcdを、図示せぬ光ディスク等の記録媒体に記録する。
【００９０】
また、図２の例では、復号部５４は、復号部５４、D/A変換部５５、および表示部５６から構成されている。
【００９１】
復号部５４は、符号化装置４１の符号化部５２から出力された符号化デジタル画像信号Vcdを復号し、その結果得られるデジタル画像信号Vdg2をD/A変換部５５に供給する。D/A変換部５５は、このデジタル画像信号Vdg2をD/A変換し、その結果得られるアナログ画像信号Van2を表示部５６に供給する。表示部５６は、例えばCRTディスプレイやLCD等で構成され、D/A変換部５５から供給されたアナログ画像信号Van2に対応する画像を表示する。
【００９２】
ここで注目すべき点は、図２の符号化装置４１の符号化部５２から出力される符号化デジタル画像信号Vcdが復号部５４により再度復号された際に得られるデジタル画像信号Vdg2は、従来の図１の符号化装置３の符号化部２２から出力される符号化デジタル画像信号Vcd’が再度復号された際に得られるデジタル画像信号とは異なり、再生装置１の復号部１１から出力されるデジタル画像信号Vdg0に比較して大幅に劣化しているという点である。換言すると、復号部５４により再度復号された際に得られるデジタル画像信号Vdg2が、再生装置１の復号部１１から出力されるデジタル画像信号Vdg0に比較して大幅に劣化するような符号化処理を、符号化部５２が実行する点である。
【００９３】
この点により、記録部５３で記録媒体に記録された符号化デジタル画像信号Vcdが再生されて得られる画像は、再生装置１から出力されるアナログ画像信号Van1に対応する画像、即ち、表示装置２に表示される画像に比べて、その画質が大幅に劣化することになる。さらに、符号化装置４１または同様の符号化装置による符号化と、復号装置４２または同様の復号装置による復号が繰り返される度に、劣化の度合いは益々大きくなっていく。従って、図２の符号化装置４１では、良好な画質を維持したままでのコピーは不可能となる。即ち、不正コピーの防止が図られる。
【００９４】
また、図２の画像処理システムにおいては、上述したように、良好な画質を維持したままでのコピーを不可能とする処理が記録再生装置３１側で実行されるため、再生装置１から表示装置２に供給されるアナログ画像信号Van1には何等加工が施されず、その結果、表示装置２に表示される画像の画質を落とすことはない。即ち、図２の画像処理システムは、上述した特許文献１の発明が有する課題を解決することができる。
【００９５】
さらにまた、図２の画像処理システムでは、同図の構成から明らかなように、再生側と記録側との何れにも、雑音情報発生部やこれを埋め込むための回路等の特別な回路を搭載する必要がなく、回路規模も増大することはない。即ち、図２の画像処理システムは、上述した特許文献２の発明が有する課題を解決することができる。
【００９６】
換言すると、従来の課題を解決するためには、上述したように、復号部５４により再度復号された際に得られるデジタル画像信号Vdg2が、再生装置１の復号部１１から出力されるデジタル画像信号Vdg0に比較して大幅に劣化するような符号化処理を、符号化部５２が実行すればよい。即ち、符号化部５２は、このような符号化処理を実行できれば足り、その形態は特に限定されず、様々な実施の形態を取ることができる。また、符号化部５２の様々な実施の形態に応じて、復号部５４も様々な実施の形態を取ることができる。
【００９７】
そこで、以下、図３乃至図１２を参照して、主成分分析を伴う符号化部５２と、それに対応する復号処理を実行する復号部５４とのそれぞれの他の実施の形態を説明する。なお、主成分分析については後述する。
【００９８】
図３は、主成分分析を伴う符号化部５２の一構成例を示している。図３の例では、符号化部５２は、入力部２４１乃至出力部２５１から構成されている。
【００９９】
入力部２４１は、図２のA/D変換部５１からのデジタル画像信号Vdg1を例えば１フレーム分入力して、大ブロック化部２４２に供給する。
【０１００】
大ブロック化部２４２は、入力部２４１から供給された１フレーム分のデジタル画像信号Vdg1を複数の大ブロックに分割し、動きベクトル検出部２４３と残差算出部２４４に供給する。
【０１０１】
なお、大ブロックの大きさは、特に限定されないのは言うまでもない。このことは、後述する他のブロック（小ブロック等）でも同様とされる。
【０１０２】
動きベクトル検出部２４３は、大ブロック化部２４２から供給された処理対象のフレーム（以下、現フレームと称する）の複数の大ブロックのそれぞれについて、処理対象の大ブロックと、フレームメモリ２５０に蓄積された１つ前のフレーム（以下、前フレームと称する）に対応する復号済みのデジタル画像信号とを利用して、処理対象の大ブロックの動きベクトルを検出する。そして、動きベクトル検出部２４３は、現フレーム分の各大ブロックの動きベクトルのそれぞれを示す各情報をデジタル信号Vcdmvとして、残差算出部２４４と重畳部２４８に供給する。
【０１０３】
具体的には例えば、本実施の形態では、大ブロック化部２４２においては、デジタル画像信号Vdg1のうちの１つの有効画面の画像信号が、例えば図４に示されるように、水平方向に１６画素分で垂直方向に１６画素分の大きさの大ブロックBLに分割される。なお、以下、水平方向にｈ画素分で垂直方向にｖ画素分の大きさを、（ｈ×ｖ）画素の大きさと称する。即ち、図４の例では、大ブロックBLは、（１６×１６）画素の大きさとされている。また、図４において、○（丸印）は、デジタル画像信号Vdg1のうちの１つの有効画面の画像信号を構成する画素データを示している。
【０１０４】
この場合、動きベクトル検出部２４３は、例えば図５に示されるように、現フレーム分のデジタル画像信号FLnにおける処理対象の大ブロックBL（以下、処理対象の大ブロックBLを、注目大ブロックBLと称する）に対して、前フレーム分のデジタル画像信号FLbにおける注目大ブロックBLと同一位置の大ブロックBLb0を中心に含む所定のサーチ範囲sbを設定する。そして、動きベクトル検出部２４３は、このサーチ範囲sbにおいて例えばいわゆるブロックマッチングを行う。具体的には例えば、動きベクトル検出部２４３は、このサーチ範囲sbの中から、注目大ブロックBLの各画素値との差分絶対値の総和が最小となる大ブロックを検出する。なお、本実施の形態では、サーチ範囲sbは例えば、大ブロックBLb0から、水平方向に−８画素乃至＋８画素、および、垂直方向に−８画素乃至＋８画素の領域とされている。
【０１０５】
例えば、注目大ブロックBLとの差分絶対値総和が最小となるブロックとして、図６に示される大ブロックBLbcが検出されたとする。この場合、動きベクトル検出部２４３は、図６に示されるベクトルmvを、注目大ブロックBLの動きベクトルとして検出することになる。従って、動きベクトル検出部２４３は、注目大ブロックBLの動きベクトルmvを示す情報を生成し、それをデジタル信号Vcdmvに含めて、残差算出部２４４と重畳部２４８とに供給する。なお、動きベクトルmvを示す情報の形態は特に限定されないが、本実施の形態では、注目大ブロックBLの座標位置からの相対座標とされている。
【０１０６】
なお、注目大ブロックBLとの差分絶対値総和が最小となるブロック、即ち例えば図６の例では大ブロックBLbcは、注目大ブロックBLから見た場合、動きベクトルの先（図６中矢印の逆方向）にある大ブロックであるといえる。そこで、以下、注目大ブロックBLとの差分絶対値総和が最小となるブロックを、動きベクトル先大ブロックと称する。
【０１０７】
図３の残差算出部２４４は、大ブロック化部２４２から供給された現フレームの各大ブロックのそれぞれについて、動きベクトル検出部２４３から供給されたデジタル信号Vcdmvに含まれる処理対象の大ブロックの動きベクトルを利用して、処理対象の大ブロックに対応する動きベクトル先大ブロックをフレームメモリ２５０から抽出する。次に、残差算出部２４４は、現フレーム分の各大ブロックのそれぞれについて、処理対象の大ブロックと、対応する動きベクトル先大ブロックとの残差を算出し、その結果得られる大ブロックを、処理対象の大ブロックに対応する残差大ブロックとして小ブロック化部２４５に供給する。具体的には例えば、処理対象の大ブロックである図４の注目大ブロックBLが残差算出部２４４に供給され、それに対応する図６の動きベクトル先大ブロックBLbcがフレームメモリ２５０から抽出された場合、残差算出部２４４は、図７に示されるように、注目大ブロックBLと、動きベクトル先大ブロックBLbcとの残差を算出し、その結果得られる大ブロックBLDを、注目大ブロックBLに対応する残差大ブロックとして小ブロック化部２４５に供給する。
【０１０８】
このようにして、残差算出部２４４は、現フレーム分の各大ブロックのそれぞれに対応する各残差大ブロックのそれぞれを生成して、小ブロック化部２４５にそれぞれ供給する。
【０１０９】
小ブロック化部２４５は、残差算出部２４４から供給された現フレーム分の各残差大ブロックのそれぞれを、M個の小ブロック（N個の画素分の大きさの画素データ）にそれぞれ分割し、直交変換基底生成部２４６と直交変換符号化部２４７に供給する。
【０１１０】
具体的には例えば本実施の形態では、図７と図８に示されるような残差大ブロックBLDが残差算出部２４４から小ブロック化部２４５に供給されてきた場合には、小ブロック化部２４５は、図８に示されるように、その残差大ブロックBLDをさらに、（４×４）画素の大きさの１６個の小ブロックBSに分割する。なお、図８において、○（丸印）は、残差大ブロックBLDを構成する画素データを示している。
【０１１１】
図３に戻り、直交変換基底生成部２４６は、現フレーム分の各大ブロックのそれぞれについて、処理対象の大ブロックに対応する残差大ブロックが小ブロック化部２４５により分割された結果得られるM個の小ブロックに対して主成分分析を施すことで、処理対象の大ブロック（それに対応する残差大ブロック）についての直交変換の基底を適応的に個別に生成する。このようにして、直交変換基底生成部２４６は、現フレーム分の各大ブロックのそれぞれについての直交変換の基底をそれぞれ生成すると、それらをデジタル信号Vcdpに含めて、直交変換符号化部２４７と重畳部２４８に供給する。
【０１１２】
即ち、例えば、直交変換基底生成部２４６は、現フレーム分の各残差大ブロックのそれぞれについて、処理対象の残差大ブロックを構成するM個の小ブロックを抽出する。このM個の小ブロックがN次元で表されるデータであるとすると、直交変換基底生成部２４６は、残差大ブロック毎に抽出されたM個の小ブロックのそれぞれをベクトル化する。なお、以下、このようにして得られるM個のN次元のベクトルを、処理ベクトルと称する。
【０１１３】
例えば、小ブロックがN画素分の画素データで構成されているとすると、直交変換基底生成部２４６は、N画素分の画素データの値（画素値）のそれぞれを、N個の成分のうちの所定の１つに代入することで、N次元の処理ベクトルを生成することができる。具体的には例えば、本実施の形態では、図８に示されるように、残差大ブロックBLDは、（４×４）画素の大きさの１６個（＝M個）の小ブロックBSに分割される。即ち、１つの小ブロックBSは、１６（＝N個）画素分の画素データで構成されるので、１つの残差大ブロックBLDについて、これらの１６個の画素データの値（画素値）を各成分値とする処理ベクトルが、１６個の小ブロックBSのそれぞれ毎に生成される。即ち、１つの残差大ブロックBLDにつき、１６個の処理ベクトルがそれぞれ生成される。
【０１１４】
直交変換基底生成部２４６は、現フレーム分の各残差大ブロックのそれぞれについて、処理対象の残差大ブロックから得られたM個の処理ベクトルに対して主成分分析を施すことで、処理対象の残差大ブロックについてのN次元の正規直交基底をN個生成する。
【０１１５】
本明細書では、このようなN個のN次元の正規直交基底をまとめて、直交変換の基底と称している。即ち、現フレーム分の残差大ブロック毎に、直交変換の基底がそれぞれ個別に生成される。
【０１１６】
詳細には例えば、直交変換基底生成部２４６は、次のような処理を実行することができる。
【０１１７】
即ち、直交変換基底生成部２４６は、現フレーム分の各大ブロックに対応する各残差大ブロックのそれぞれについて、処理対象の残差大ブロックから得られたM個のN次元の処理ベクトルのそれぞれを列成分として有する行列D、即ち、N行M列の行列Dをそれぞれ生成する。そして、直交変換基底生成部２４６は、現フレーム分の残差大ブロック毎の各行列Dのそれぞれに対して特異値分解を施すことで、各行列Dのそれぞれを次の式（１）を満たす成分行列U，Σ，Vのそれぞれに分解する。なお、式（１）において、成分行列UはN行N列の左特異行列を、成分行列VはＭ行Ｍ列の右特異行列を、成分行列ΣはN行M列の特異行列を、それぞれ示している。また、V~は成分行列Vの転置行列を示している。
【０１１８】
D  ＝  UΣV~    ・・・（１）
【０１１９】
ここで、行列Dのランクをｒ（rは、N以下の整数値）とすると、成分行列Uの最初のr個の列成分（左特異ベクトル）のそれぞれが正規直交基底となり、左から順に重要な基底となる。なお、以下、成分行列Uの最初のr個の列成分（左特異ベクトル）、即ち、ｒ個の正規直交基底ベクトルのうちの左からf番目（fは、１乃至rのうちの何れかの整数値）のものを、第ｆ主成分と適宜称する。また、ここでは、説明の簡略上、行列DのランクをNとする。即ち、ここでは、現フレーム分の残差大ブロック毎に、N個の主成分がそれぞれ得られるとする。即ち、１つの行列Dが、１つの残差大ブロックについての直交変換の基底を示すことになる。
【０１２０】
直交変換符号化部２４７は、現フレーム分の各大ブロックのそれぞれについて、直交変換基底生成部２４６から供給された（処理対象の大ブロックに対応する残差大ブロックついての）直交変換の基底を利用して、小ブロック化部２４５によりM個の小ブロックに分割された（処理対象の大ブロックに対応する）残差大ブロックに対して直交変換符号化処理を施し、その処理結果をデジタル信号Vcdqとして重畳部２４８に供給する。
【０１２１】
直交変換符号化処理とは、例えば、次のような一連の処理を言う。
【０１２２】
即ち、直交変換符号化部２４７は、現フレーム分の各残差大ブロックのそれぞれについて、処理対象の残差大ブロックを構成するM個の小ブロックを抽出する。現フレーム分の残差大ブロック毎にM個だけ抽出された小ブロックがN次元で表されるデータであるとすると、直交変換符号化部２４７は、現フレーム分の各残差大ブロックのそれぞれについて、処理対象の残差大ブロックを構成するM個の小ブロックのそれぞれをベクトル化することで、処理対象の残差大ブロックについてのN次元の処理ベクトルをM個だけ生成する。即ち、現フレーム分の残差大ブロック毎に、M個の処理ベクトルがそれぞれ生成される。
【０１２３】
具体的には例えば、本実施の形態では、図８に示されるように、１つの残差大ブロックBLDは、（４×４）画素の大きさの１６個（＝M個）の小ブロックBSに分割される。即ち、１つの小ブロックBSは、１６（＝N個）画素分の画素データで構成されるので、１つの残差大ブロックBLDについて、これらの１６個の画素データの値（画素値）を各成分値とする処理ベクトルが、１６個の小ブロックBSのそれぞれ毎に生成される。即ち、現フレーム分の残差大ブロックBLD毎に、１６個の処理ベクトルがそれぞれ生成される。
【０１２４】
そこで、直交変換符号化部２４７は、例えば、現フレーム分の各残差大ブロックのそれぞれについて、元のN次元の第１の座標系から、N個の主成分を軸とする第２の座標系に変換する軸変換処理を、処理対象の残差大ブロックから得られたM個のN次元の処理ベクトルのそれぞれに対して施す。詳細には例えば、直交変換符号化部２４７は、次の式（２）を演算する。
【０１２５】
Va  ＝  U~ Vb    ・・・（２）
【０１２６】
なお、式（２）において、Vbは、N行１列の行列（列ベクトル）であり、処理対象の残差大ブロックから得られたM個のN次元の処理ベクトルのうちの所定の１つ、即ち、処理対象の残差大ブロックを構成するM個の小ブロックのそれぞれを示すM個のN次元の処理ベクトルのうちの所定の１つ、換言すると、第１の座標系で表現される処理ベクトルのうちの所定の１つを示している。Vaは、N行１列の行列（列ベクトル）であり、第２の座標系で表現され直された処理ベクトルを示している。また、U~は、式（１）の成分行列Uの転置行列、即ち、直交変換基底生成部２４６から供給された処理対象の残差大ブロックについての直交変換の基底を示す行列Uの転置行列を示している。
【０１２７】
このようにして、直交変換符号化部２４７は、現フレーム分の各残差大ブロックのそれぞれについて、処理対象の残差大ブロックから得られたM個の処理ベクトルVbのそれぞれを利用して、上述した式（２）の演算をM回繰り返すことで、M個の処理ベクトルVaのそれぞれを算出する。即ち、直交変換符号化部２４７は、現フレーム分の残差大ブロック毎に、M個の処理ベクトルVbのそれぞれを、M個の処理ベクトルVaのそれぞれに変換する。
【０１２８】
そして、直交変換符号化部２４７は、現フレーム分の各残差大ブロックのそれぞれについて、処理対象の残差大ブロックについての変換後のM個の処理ベクトルVaを１単位として、所定の符号化方式に従った符号化処理を実行し、処理対象の残差大ブロックに対するその符号化処理の結果をデジタル信号Vcdqに含めて重畳部２４８に供給する。
【０１２９】
なお、ここでいう「所定の符号化方式」とは、特定の１つの符号化方式を指すのではなく、単に、様々な符号化方式のうちの直交変換符号化部２４７に採用されている符号化方式を指す。即ち、直交変換符号化部２４７は、様々な符号化方式を採用することができる。
【０１３０】
例えば、直交変換符号化部２４７は、現フレーム分の各残差大ブロックのそれぞれを処理対象に１つずつ順次設定し、処理対象の残差大ブロックについての変換後のM個の処理ベクトルVaのそれぞれについて、ｆ（fは、上述したように１乃至Nのうちの何れかの整数値）行目の成分値をそれぞれ抽出し、抽出されたM個の成分値のそれぞれを画素値として所定の順番に配置させることで、１つのデジタル画像信号（ブロック）を生成することができる。処理ベクトルVａの成分値のうちのｆ行目の成分値（列ベクトルの場合、上からf番目の成分値）とは、第ｆ主成分の軸の座標値（以下、第ｆ主成分値と称する）を示している。従って、このブロックは、とある１つの残差大ブロックについての、変換後のM個の処理ベクトルVaのそれぞれの第ｆ主成分値を各画素値とするデジタル画像信号となる。そこで、以下、このようなブロックを第ｆ主成分ブロックと称する。
【０１３１】
結局、直交変換符号化部２４７は、現フレーム分の残差大ブロック毎に、N個の第１主成分ブロック乃至第N主成分ブロックをそれぞれ生成できることになる。
【０１３２】
そこで、この場合、直交変換符号化部２４７は、現フレーム分の各残差大ブロックのそれぞれを処理対象に１つずつ順次設定し、処理対象の残差大ブロックの第１主成分ブロック乃至第N主成分ブロックのそれぞれについて、処理対象の主成分ブロックを構成する各画素値（対応する各主成分値）を量子化することができる。この場合、例えば次のような量子化の手法を採用することができる。即ち、１つの主成分ブロックを構成する各画素値に対して除算される値として、第１主成分ブロック乃至第N主成分ブロックの全てについて同一の値を使用する、といった量子化の手法を採用することができる。或いは、高次の主成分ブロック（第ｆ主成分の番号ｆが若い主成分ブロック）を構成する各画素値に対して除算される値として、低次の主成分ブロックで利用される値よりも大きな値を使用する、といった量子化の手法を採用することもできる。
【０１３３】
そして、直交変換符号化部２４７は、現フレーム分の各残差大ブロックのそれぞれを処理対象に１つずつ順次設定し、処理対象の残差大ブロックの第１主成分ブロック乃至第N主成分ブロックのそれぞれについて、量子化後の各値に対して例えばハフマン符号などの符号割当処理を施し、処理対象の残差大ブロックについての処理結果をデジタル信号Vcdqに含めて重畳部２４８に供給することができる。
【０１３４】
或いは例えば、直交変換符号化部２４７は、現フレーム分の各残差大ブロックのそれぞれを処理対象に１つずつ順次設定し、処理対象の残差大ブロックの第１主成分ブロック乃至第N主成分ブロックのそれぞれに対して、ADRC(Adaptive Dynamic Range Coding)方式の符号化処理を施し、処理対象の残差大ブロックについての処理結果をデジタル信号Vcdqに含めて重畳部２４８に供給することもできる。
【０１３５】
本明細書では、以上のような直交変換符号化部２４７により実行される一連の処理が、直交変換符号化処理と称されている。
【０１３６】
このようにして、直交変換符号化部２４７による現フレーム分の各残差大ブロックのそれぞれに対する直交変換符号化処理の結果は、デジタル信号Vcdqに含められて重畳部２４８に供給される。そこで、重畳部２４８は、このデジタル信号Vcdqに対して、直交変換基底生成部２４６から供給されたデジタル信号Vcdp（現フレーム分の残差大ブロック毎の直交変換の基底）と、動きベクトル検出部２４３から供給されたデジタル信号Vcdmv（現フレーム分の残差大ブロック毎の動きベクトルを示す情報）を重畳し、その結果得られるデジタル信号を、現フレーム分のデジタル信号Vdg1の復号信号である符号化デジタル画像信号Vcdとして、即ち、現フレーム分の符号化デジタル画像信号Vcdとしてローカルデコード部２４９と出力部２５１とに供給する。
【０１３７】
ローカルデコード部２４９は、図３の例の符号化部５２の処理対象が現フレームから次のフレームに移った際、即ち、次のフレームが新たな現フレームとなった際、この新たな現フレーム（次のフレーム）についての動きベクトルの参照先となる前フレーム分のデジタル画像信号を生成する。即ち、ローカルデコード部２４９は、重畳部２４８から供給された現フレーム分の符号化デジタル画像信号Vcdに対して復号処理を施し、その結果得られるデジタル画像信号を、次のフレームにとっての前フレームのデジタル画像信号として、フレームメモリ２５０に記憶させる。
【０１３８】
このようなローカルデコード部２４９は、例えば図９に示されるように構成することができる。ただし、図９の例のローカルデコード部２４９は、後述する図１１の例の復号部５４のうちの点線部分３０１と基本的に同様の構成と機能とを有している。即ち、図９のデータ分解部２７１乃至ブロック分解部２７５のそれぞれは、図１１のデータ分解部２９２乃至ブロック分解部２９６のそれぞれと基本的に同様の構成と機能とを有している。そこで、図１１の点線部分３０１についての後述する説明をもって、ローカルデコード部２４９の説明とする。即ち、ここでは、ローカルデコード部２４９の説明は省略する。
【０１３９】
図３に戻り、フレームメモリ２５０は、前フレームのデジタル画像信号、即ち、処理対象の現フレームから見て１つ前のフレームのデジタル画像信号を記憶する。従って、本実施の形態では、フレームメモリ２５０の記憶内容（デジタル画像信号）は、符号化部５２の処理対象が現フレームから次のフレームに移った際に、書き換えられるとする。
【０１４０】
出力部２５１は、重畳部２４８から供給された現フレーム分の符号化デジタル画像信号Vcdを、図２の記録部５３や復号部５４に出力する。
【０１４１】
以上、図３の例の符号化部５２の構成について説明した。なお、先頭フレーム分のデジタル画像信号Vdg1については、符号化による歪みのない状態で図３の例の符号化部５２内を伝送されるとする。
【０１４２】
次に、図１０のフローチャートを参照して、図３の例の符号化部５２の符号化処理例について説明する。
【０１４３】
ステップＳ１６１において、入力部２４１は、デジタル画像信号Vdg1を、例えば１フレーム分だけ入力する。即ち、ステップＳ１６１において、入力部２４１は、現フレーム分のデジタル画像信号Vdg1を入力する。現フレーム分のデジタル画像信号Vdg1が、入力部２４１から大ブロック化部２４２に供給されると、処理はステップＳ１６２に進む。
【０１４４】
ステップＳ１６２において、大ブロック化部２４２は、現フレーム分のデジタル画像信号Vdg1を分割化する。即ち、現フレーム分のデジタル画像信号Vdg1から複数の大ブロックが分割される。現フレーム分の複数の大ブロックのそれぞれが、大ブロック化部２４２から動きベクトル検出部２４３と残差算出部２４４に供給されると、処理はステップＳ１６３に進む。
【０１４５】
ステップＳ１６３において、動きベクトル検出部２４３は、現フレーム分の各大ブロックのそれぞれについて動きベクトルを検出する。現フレーム分の各大ブロックのそれぞれについての動きベクトルを示す各情報が、現フレーム分のデジタル信号Vcdmvとして、残差算出部２４４と重畳部２４８とに供給されると、処理はステップＳ１６４に進む。
【０１４６】
ステップＳ１６４において、残差算出部２４４は、現フレーム分の各大ブロックのそれぞれについての残差を演算する。ステップＳ１６４の処理結果、即ち、現フレーム分の各大ブロックのそれぞれに対応する各残差大ブロックのそれぞれが残差算出部２４４から小ブロック化部２４５に供給されると、処理はステップＳ１６５に進む。
【０１４７】
ステップＳ１６５において、小ブロック化部２４５は、現フレーム分の各残差大ブロックのそれぞれを分割化する。即ち、１つの残差大ブロックからM個の小ブロックが分割される。小ブロック化された現フレーム分の各残差大ブロックのそれぞれが、小ブロック化部２４５から直交変換基底生成部２４６と直交変換符号化部２４７とに供給されると、処理はステップＳ１６６に進む。
【０１４８】
ステップＳ１６６において、直交変換基底生成部２４６は、現フレーム分の各大ブロック（対応する残差大ブロック）のそれぞれについての直交変換の基底を適応的にそれぞれ生成する。現フレーム分の大ブロック毎の直交変換の基底が現フレーム分のデジタル信号Vcdpとして、直交変換基底生成部２４６から直交変換符号化部２４７と重畳部２４８とに供給されると、処理はステップＳ１６７に進む。
【０１４９】
ステップＳ１６７において、直交変換符号化部２４７は、現フレーム分の各大ブロックに対応する各残差大ブロックのそれぞれに対して、現フレーム分の各大ブロックに対応する各残差大ブロックについての直交変換の基底のうちの、対応する直交変換の基底を用いて直交変換符号化処理を施す。ステップＳ１６７の処理の結果として得られる現フレーム分のデジタル信号Vcdqが、直交変換符号化部２４７から重畳部２４８に供給されると、処理はステップＳ１６８に進む。
【０１５０】
ステップＳ１６８において、重畳部２４８は、ステップＳ１６７の処理結果として直交変換符号化部２４７から出力された現フレーム分のデジタル信号Vcdqに対して、ステップＳ１６３の処理結果として動きベクトル検出部２４３から出力された現フレーム分のデジタル信号Vcdmvと、ステップＳ１６６の処理結果として直交変換基底生成部２４６から出力された現フレーム分のデジタル信号Vcdpとを重畳することで、現フレーム分の符号化デジタル画像信号Vcdを生成する。この現フレーム分の符号化デジタル画像信号Vcdが出力部２５１に提供されると、処理はステップＳ１６９に進む。
【０１５１】
ステップＳ１６９において、出力部２５１は、この符号化デジタル画像信号Vcdを外部に出力する。
【０１５２】
ステップＳ１７０において、符号化部５２は、処理すべき全フレームに対する処理が終了したか否かを判定する。
【０１５３】
全フレームに対する処理がまだ終了していない場合、ステップＳ１７０においてNOであると判定されて、ステップＳ１６８の処理で生成された現フレーム分の符号化デジタル画像信号Vcdはまた、ローカルデコード部２４９にも供給される。これにより、処理はステップＳ１７１に進む。
【０１５４】
ステップＳ１７１において、ローカルデコード部２４９は、現フレーム分の符号化デジタル画像信号Vcdをローカルデコードし（復号処理を施し）、その結果得られるデジタル画像信号を、次のフレームにとっての前フレームのデジタル画像信号としてフレームメモリ２５０に記憶させる。
【０１５５】
その後、処理はステップＳ１６１に戻され、それ以降の処理が繰り返される。即ち、次の１フレーム分のデジタル画像信号Vdg1が、ステップＳ１６１の処理で入力され、ステップＳ１６２乃至Ｓ１６８の処理で上述した符号化処理が施され、その結果、次の１フレーム分の符号化デジタル画像信号Vcdが得られ、この符号化デジタル画像信号VcdがステップＳ１６９の処理で出力される。
【０１５６】
このようなステップＳ１６１乃至Ｓ１７１のループ処理が全フレームに対して施され、最後のフレーム分の符号化デジタル画像信号Vcdが出力されると、次のステップＳ１７０においてYESであると判定されて、図１０の例の符号化処理は終了となる。
【０１５７】
以上、図１０を参照して、図３の例の符号化部５２の符号化処理の例について説明した。
【０１５８】
次に、図１１と図１２を参照して、図３の例の符号化部５２に対応する復号部５４の一実施の形態について説明する。
【０１５９】
図１１は、図３の例の符号化部５２に対応する復号部５４の構成例を示している。図１１の例では、復号部５４は、入力部２９１乃至出力部２９８から構成されている。
【０１６０】
入力部２９１は、図３の例の符号化部５２から出力された符号化デジタル画像信号Vcdを例えば１フレーム分入力して、即ち、現フレーム分の符号化デジタル画像信号Vcdを入力して、データ分解部２９２に供給する。
【０１６１】
データ分解部２９２は、現フレーム分の符号化デジタル画像信号Vcdを、図３の動きベクトル検出部２４３の出力である現フレーム分のデジタル信号Vcdmv、図３の直交変換基底生成部２４６の出力である現フレーム分のデジタル信号Vcdp、および、図３の直交変換符号化部２４７の出力である現フレーム分のデジタル信号Vcdqのそれぞれに分解し、現フレーム分のデジタル信号Vcdmvを動きベクトル先抽出部２９３に供給し、かつ、現フレーム分のデジタル信号Vcdpと現フレーム分のデジタル信号Vcdqとを逆直交変換復号部２９４に供給する。
【０１６２】
動きベクトル先抽出部２９３は、現フレーム分の各大ブロックのそれぞれについて、データ分解部２９２から供給されたデジタル信号Vcdmvに含まれる処理対象の大ブロックの動きベクトルに基づいて、フレームメモリ２９７に蓄積された前フレームの復号済みのデジタル画像信号から、処理対象の大ブロックに対応する動きベクトル先大ブロックを抽出する。即ち、動きベクトル先抽出部２９３は、現フレーム分の各大ブロックのそれぞれに対応する動きベクトル先大ブロックのそれぞれを抽出し、加算部２９５に供給する。
【０１６３】
逆直交変換復号部２９４は、データ分解部２９２から供給された現フレーム分のデジタル信号Vcdqに対して、データ分解部２９２から供給された現フレーム分の各大ブロック（対応する残差大ブロック）についての各直交変換の基底うちの対応する基底を利用して、逆直交変換復号処理を大ブロック単位で施す。即ち、現フレーム分の大ブロック（対応する残差大ブロック）毎に、対応する基底（他の大ブロックとは異なる基底）が利用される。
【０１６４】
逆直交変換復号処理とは、例えば、次のような一連の処理を言う。
【０１６５】
逆直交変換復号部２９４は、現フレーム分のデジタル信号Vcdpに対して、図３の直交変換符号化部２４７で採用されている符号化方式に対応する復号方式の復号処理（逆量子化処理等）を施す。この復号処理により、現フレーム分の各大ブロック（対応する残差大ブロック）のそれぞれについて、例えば上述した第１主成分ブロック乃至第N主成分ブロックが得られることになる。
【０１６６】
次に、逆直交変換復号部２９４は、現フレーム分の各残差大ブロックのそれぞれについて、処理対象の残差大ブロックについての第１主成分ブロック乃至第N主成分ブロックから、上述した式（２）で示される処理ベクトルVa、即ち、第１主成分乃至第N主成分を軸とする第２の座標系によって表現される処理ベクトルVaをM個生成（復元）する。即ち、現フレーム分の残差大ブロック毎に、M個の処理ベクトルVaがそれぞれ生成（復元）される。
【０１６７】
次に、逆直交変換復号部２９４は、現フレーム分の各大ブロックに対応する残差大ブロックのそれぞれについて、第２の座標系から元のN次元の第１の座標系に逆変換する逆軸変換処理を、処理対象の残差大ブロックに対応するM個の処理ベクトルVaのそれぞれに対して施す。詳細には例えば、逆直交変換復号部２９４は、次の式（３）を演算することで、処理対象の残差大ブロックについてのM個の処理ベクトルVbを生成（復元）する。
【０１６８】
Vb  ＝  （U~）-1 Va    ・・・（３）
【０１６９】
なお、式（３）において、（U~）-1は、上述した式（１）の成分行列Uの転置行列U~の逆行列を示している。この成分行列Uは、処理対象の残差大ブロックについての直交変換の基底を示す行列であって、その各成分値（係数群）はデータ分解部２９２から供給されるデジタル信号Vcdpに含まれている。そこで、逆直交変換復号部１７５は、この係数群から行列（U~）-1を生成することができる。
【０１７０】
次に、逆直交変換復号部２９４は、現フレーム分の各残差大ブロックのそれぞれについて、処理対象の残差大ブロックについてのM個の処理ベクトルVbから、処理対象の残差大ブロックを構成するM個の小ブロックを生成（復元）する。即ち、現フレーム分の残差大ブロック毎に、M個の小ブロックがそれぞれ生成（復元）される。
【０１７１】
そして、逆直交変換復号部２９４は、処理対象の残差大ブロックを構成するM個の小ブロックのそれぞれを元の位置に並べることで、処理対象の残差大ブロックを生成（復元）する。即ち、逆直交変換復号部２９４は、現フレーム分の各残差大ブロックのそれぞれについてこのような処理を繰り返し実行することで、現フレーム分の各大ブロックを生成（復元）する。
【０１７２】
本明細書では、逆直交変換復号部２９４の上述した一連の処理が、逆直交変換復号処理と称されている。
【０１７３】
そして、逆直交変換復号部２９４は、このようにして生成（復元）された現フレーム分の各残差大ブロックを、加算部２９５に供給する。
【０１７４】
加算部２９５は、逆直交変換復号部２９４から供給された現フレーム分の各残差大ブロックのそれぞれと、動きベクトル先抽出部２９３から供給された動きベクトル先大ブロックのうちの対応する１つとを加算し、その結果得られる現フレーム分の大ブロックをブロック分解部２９６に供給する。
【０１７５】
ブロック分解部２９６は、加算部２９５から供給された現フレーム分の各大ブロックを分割前の位置に配置し、その結果得られるデジタル画像信号を、現フレーム分の符号化デジタル画像信号Vcdの復号信号であるデジタル画像信号Vdg2、即ち、現フレーム分のデジタル画像信号Vdg2として、出力部２９８とフレームメモリ２９７に供給する。
【０１７６】
フレームメモリ２９７は、前フレーム分のデジタル画像信号、即ち、処理対象の現フレームから見て１つ前のフレーム分のデジタル画像信号を記憶する。従って、本実施の形態では、フレームメモリ２９７の記憶内容（デジタル画像信号）は、復号部５４の処理対象が現フレームから次のフレームに移った際に、書き換えられるとする。
【０１７７】
出力部２９８は、ブロック分解部２９６から供給された現フレーム分のデジタル画像信号Vdg2を図２のD/A変換部５５に出力する。
【０１７８】
なお、繰り返しになるが、図９の例のローカルデコード部２４９は、図１１の例の復号部５４のうちの点線部分３０１と基本的に同様の構成と機能とを有している。即ち、図９のデータ分解部２７１乃至ブロック分解部２７５のそれぞれは、図１１のデータ分解部２９２乃至ブロック分解部２９６のそれぞれと基本的に同様の構成と機能とを有している。
【０１７９】
以上、図１１の例の復号部５４の構成について説明した。次に、図１２のフローチャートを参照して、図１１の例の復号部５４の復号処理例について説明する。
【０１８０】
ステップＳ１８１において、入力部２９１は、符号化デジタル画像信号Vcdを、例えば１フレーム分だけ入力する。即ち、ステップＳ１８１において、入力部２９１は、例えば現フレーム分の符号化デジタル画像信号Vcdを入力する。現フレーム分の符号化デジタル画像信号Vcdが、入力部２９１からデータ分解部２９２に供給されると、処理はステップＳ１８２に進む。
【０１８１】
ステップＳ１８２において、データ分解部２９２は、現フレーム分の符号化デジタル画像信号Vcdを、現フレーム分のデジタル信号Vcdmv、現フレーム分のデジタル信号Vcdp、および現フレーム分のデジタル信号Vcdqに分解する。現フレーム分のデジタル信号Vcdmvが動きベクトル先抽出部２９３に供給され、かつ、現フレーム分のデジタル信号Vcdpおよび現フレーム分のデジタル信号Vcdqが逆直交変換復号部２９４に供給されると、処理はステップＳ１８３に進む。
【０１８２】
ステップＳ１８３において、動きベクトル先抽出部２９３は、現フレーム分の各動きベクトル先大ブロックのそれぞれを抽出（復元）する。現フレーム分の各動きベクトル先大ブロックのそれぞれが加算部２９５に供給されると、処理はステップＳ１８４に進む。
【０１８３】
ステップＳ１８４において、逆直交変換復号部２９４は、現フレーム分の各大ブロック（対応する残差大ブロック）のそれぞれについての直交変換の基底を含むデジタル信号Vcdpを利用して、現フレーム分のデジタル信号Vcdqに対して逆直交変換復号処理を施す。さらに、逆直交変換復号部２９４は、上述したように、逆直交変換復号処理の結果から、現フレーム分の各残差大ブロックを生成する。現フレーム分の各残差大ブロックが、逆直交変換復号部２９４から加算部２９５に供給されると、処理はステップＳ１８５に進む。
【０１８４】
ステップＳ１８５において、加算部２９５は、ステップＳ１８３の処理で抽出された現フレーム分の複数の動きベクトル先大ブロックのそれぞれと、ステップＳ１８４の処理結果である現フレーム分の複数の残差大ブロックのうちの対応する１つとを加算する。すると、上述したように、現フレーム分の各ブロックが得られる。現フレーム分の各ブロックが、加算部２９５からブロック分解部２９６に供給されると、処理はステップＳ１８６に進む。
ステップＳ１８６において、ブロック分解部２９６は、ステップＳ１８５の処理結果である現フレーム分の複数の大ブロックを元の配置位置に並べることで、現フレーム分のデジタル画像信号Vdg2を生成する。この現フレーム分のデジタル画像信号Vdg2が、ブロック分解部２９６から出力部２９８に供給されると、処理はステップＳ１８７に進む。
【０１８５】
ステップＳ１８７において、出力部２９８は、現フレーム分のデジタル画像信号Vdg2を外部に出力する。
【０１８６】
ステップＳ１８８において、復号部５４は、処理すべき全フレームに対する処理が終了したか否かを判定する。
【０１８７】
全フレームに対する処理がまだ終了していない場合、ステップＳ１８８においてNOであると判定されて、処理はステップＳ１８９に進む。
【０１８８】
ステップＳ１８９において、復号部５４は、フレームメモリ２９７の書き換えを行う。即ち、ステップＳ１８７の処理でブロック分解部２９６から出力された現フレーム分のデジタル画像信号Vdg2がフレームメモリ２９７に書き込まれる。
【０１８９】
その後、処理はステップＳ１８１に戻され、それ以降の処理が繰り返される。即ち、次の１フレーム分の符号化デジタル画像信号Vcdが、ステップＳ１８１の処理で入力され、ステップＳ１８２乃至Ｓ１８６の処理で上述した復号処理が施され、その結果、次の１フレーム分のデジタル画像信号Vdg2が得られ、このデジタル画像信号Vdg2がステップＳ１８７の処理で出力される。
【０１９０】
このようなステップＳ１８１乃至Ｓ１８９のループ処理が全フレームに対して施され、最後のフレーム分のデジタル画像信号Vdg2が出力されると、次のステップＳ１８８において、YESであると判定されて、図１２の例の復号処理は終了となる。
【０１９１】
以上、図１２を参照して、図１１の例の復号部５４の復号処理の例について説明した。
【０１９２】
以上説明したように、図２の再生装置１から出力されるアナログ歪みを伴うアナログ画像信号Van1は、A/D変換部５１に供給されてA/D変換され、その結果、デジタル画像信号Vdg1として、図３の例の符号化部５２に供給される。
【０１９３】
すると、図３の例の符号化部５２は、例えば現フレーム分のデジタル画像信号Vdg1を複数の大ブロックに分割する。次に、図３の例の符号化部５２は、現フレーム分の複数の大ブロックのそれぞれについての動きベクトルを検出することで、現フレーム分の複数の大ブロックのそれぞれに対応する複数の動きベクトル先大ブロックのそれぞれを求める。そして、図３の例の符号化部５２は、現フレーム分の複数の大ブロッのそれぞれと、対応する動きベクトル先大ブロックとの差分を取ることで、現フレーム分の複数の残差大ブロックを求める。
【０１９４】
次に、図３の例の符号化部５２は、現フレーム分の複数の残差大ブロックのそれぞれについての適応的な直交変換の基底を生成する。即ち、現フレーム分の複数の大ブロック毎に直交変換の基底がそれぞれ個別に生成される。次に、図３の例の符号化部５２は、現フレーム分の複数の残差大ブロックのそれぞれに対して、対応する直交変換の基底を利用する直交変換符号化処理を施す。そして、図３の例の符号化部５２は、直交変換符号化処理の結果を示す現フレーム分のデジタル信号Vcq、現フレーム分の各動きベクトルを示すデジタル信号Vcdmv、および、現フレーム分の各直交変換の基底を示すデジタル信号Vcdpからなるデジタル信号を、符号化デジタル画像信号Vcdとして出力する。
【０１９５】
図３の例の符号化部５２から出力された符号化デジタル画像信号Vcdは、図２の記録部５３に供給される。記録部５３は、この符号化デジタル画像信号Vcdを光ディスク等の記録媒体に記録する。このようにして、記録部５３において、アナログ画像信号Van1に基づくコピーが行われる。
【０１９６】
再生装置１から出力されたアナログ画像信号Van1が１回目の符号化と復号とを経た信号である場合、記録部５３により記録媒体に記録された符号化デジタル画像信号Vcdが、図１１の例の復号部５４を有する別の装置（図示せず）により復号された結果得られるデジタル画像信号は、２回目の符号化と復号を経た信号となる。この場合、２回目の符号化と復号を経たデジタル画像信号は、再生装置１の復号部１１から出力されたデジタル画像信号Vdg0に比べて、大きく劣化したものとなる。
【０１９７】
なぜならば、アナログ画像信号Van1は、上述したようにアナログ歪みを伴うものであるからである。
【０１９８】
即ち、例えばアナログ画像信号Van1が、上述した信号の位相ずれにより生じるアナログ歪みを伴う場合、A/D変換部５１がそのアナログ画像信号Van1をデジタル信号に変換する際に生じるサンプリング位相の揺らぎのために、図３の例の符号化部５２によりデジタル画像信号Vdg1から分割されて得られる複数の大ブロックの各位置が、１回目の符号化と復号における位置に対してずれる。
【０１９９】
そのため、図３の例の符号化部５２において、複数の大ブロックのそれぞれに対応する動きベクトル移動先大ブロックとして、１回目の符号化のそれとは異なる大ブロックが算出される。そして、これに伴い、複数の大ブロックのそれぞれに対応する残差大ブロックとして、１回目の符号化のそれとは異なる大ブロックが算出される。その結果、１回目の符号化で使用された直交変換の基底とは異なる直交変換の基底が残差大ブロック毎に生成され、かつそれらの直交変換の基底を利用して、現フレーム分の複数の残差大ブロックのそれぞれに対して直交変換符号化処理が施されるため、１回目の符号化において発生した量子化歪みとは異なる新たな量子化歪みがさらに発生し、結果として大きな歪となる。
【０２００】
以上のことから、図３の例の符号化部５２から出力されて、図２の記録部５３により記録媒体に記録されたた符号化デジタル画像信号Vcdが再生され、その結果得られる画像は、再生装置１から出力されるアナログ画像信号Van1に対応する画像、即ち、表示装置２に表示される画像に比べて、大幅に劣化した画質になる。
【０２０１】
さらに、再生装置１から出力されるアナログ画像信号Van1が２回目以降の符号化と復号とを経た信号である場合、図３の例の符号化部５２で符号化されて、さらに復号されて得られるデジタル画像信号は、３回目以降の符号化と復号とを経たものとなり、より一層劣化したものとなる。
【０２０２】
従って、３回目以降の符号化と復号とを経た符号化デジタル画像信号が記録部５３により記録媒体に記録され、その後、その符号化デジタル画像信号が再生された場合、その結果得られる画像は、再生装置１から出力されるアナログ画像信号Van1に対応する画像、即ち、表示装置２に表示される画像に比べて、さらに一段と大幅に劣化した画質になる。よって、この符号化装置４１では、良好な画質を維持したままでのコピーは不可能となる。即ち、不正コピー防止が図られる。
【０２０３】
同様の理由で、図１１の例の復号部５４を有する復号装置４２においても、その表示部５６に表示される画像、即ち、D/A変換部５５から出力されるアナログ信号Van2に対応する画像は、再生装置１から出力されるアナログ画像信号Van1に対応する画像、即ち、表示装置２に表示される画像に比べて、大幅に劣化した画質になる。さらに、この画質の劣化の度合いは、符号化と復号とを繰り返す度に大きくなっていく。
【０２０４】
また、図３の例の符号化部５２と図１１の例の復号部５４とを含む図２の画像処理システムにおいては、良好な画質を維持したままでのコピーを不可能とする処理が、図３の例の符号化部５２と図１１の例の復号部５４とを含む記録再生装置３１側で実行されるため、再生装置１から表示装置２に供給されるアナログ画像信号Van1には何等加工が施されず、その結果、表示装置２に表示される画像の画質を落とすことはない。即ち、図３の例の符号化部５２と図１１の例の復号部５４とを含む図２の画像処理システムは、上述した特許文献１の発明が有する課題を解決することができる。
【０２０５】
さらにまた、図３の例の符号化部５２と図１１の例の復号部５４とを含む図２の画像処理システムにおいては、同図の構成から明らかなように、再生側と記録側との何れにも、雑音情報発生部やこれを埋め込むための回路等の特別な回路を搭載する必要がなく、回路規模も増大することはない。即ち、図３の例の符号化部５２と図１１の例の復号部５４とを含む図２の画像処理システムは、上述した特許文献２の発明が有する課題を解決することができる。
【０２０６】
なお、アナログ信号Van1にアナログ歪みがない場合には、２回目以降の符号化においても、ほとんどの場合において直前の回と同位置の処理領域BLが利用され、その結果、直前の回の符号化で生成された直交変換の基底（主成分）が、２回目以降においてもほぼ同様に再現されるため、２回目以降の符号化における量子化歪みは極めて少なく、通常の品質での再生が可能となる。
【０２０７】
以上、図３乃至図１２を参照して、本発明が適用される図２の符号化部５２と復号部５４との一実施の形態について説明した。
【０２０８】
ただし、上述したように、本発明が適用される図２の符号化部５２は、上述した図３の例に限定されず、様々な形態を取ることが可能である。同様に、本発明が適用される図２の復号部５４は、上述した図１１の例に限定されず、様々な形態を取ることが可能である。
【０２０９】
換言すると、本発明が適用される図２の符号化部５２は、例えば図１３の機能的構成を有していれば足り、図１３の機能的構成を実現するための実施の形態は特に限定されない。即ち、その様々な実施の形態のうちのひとつが、上述した図３のそれぞれの例の符号化部５２である。このように、図１３は、本発明が適用される図２の符号化部５２のより一般的な機能的構成例（図３の例の上位概念の構成例）を示している。また、図１４のフローチャートは、図１３の機能的構成を有する符号化部５２が実行する符号化処理の一例を示している。
【０２１０】
同様に、本発明が適用される図２の復号部５４は、図１５の機能的構成を有していれば足り、図１５の機能的構成を実現するための実施の形態は特に限定されない。即ち、その様々な実施の形態のうちのひとつが、上述した図１２の例の復号部５４である。このように、図１５は、本発明が適用される図２の復号部５４のより一般的な機能的構成例（図１２の例の上位概念の構成例）を示している。また、図１５のフローチャートは、図１４の機能的構成を有する復号部５４が実行する復号処理の一例を示している。
【０２１１】
以下、図１３乃至図１５を参照して、本発明が適用される図２の符号化部５２と復号部５４とについてさらに説明する。
【０２１２】
図１３の例では、符号化部５２は、設定部４０１、分析部４０２、変換部４０３、および、重畳部４０４から構成されている。
【０２１３】
設定部４０１は、入力データであるデジタル画像信号Vdg1から、N次元で表される処理データを設定し、M個の処理データを分析単位として設定し、入力データをその分析単位で区分することで、M個の処理データからなるデータ群を1以上生成する。そして、設定部４０１は、１以上のデータ群を、分析部４０２と変換部４０３とに供給する
【０２１４】
なお、設定部４０１において、後述する変換情報を図１５の例の復調部５４側で生成するために必要な情報（以下、変換情報生成用情報と称する）が、生成または使用された場合、必要に応じて、その変換情報生成用情報はデジタル信号Vbとして重畳部４０４に供給される。さらにまた、設定部４０１において、復号処理に利用されるその他の情報を図１５の例の復調部５４側で生成するために必要な情報（以下、復号情報生成用情報と称する）が、生成または使用された場合、必要に応じて、その復号情報生成用情報はデジタル信号Vbとして重畳部４０４に供給される。
【０２１５】
例えば、図３の例の符号化部５２では、設定部４０１は、大ブロック化部２４２、動きベクトル検出部２４３、残差算出部２４４、小ブロック化部２４５、ローカルデコード部２４９、およびフレームメモリ２５０から構成されている。即ち、図３の例の符号化部５２では、小ブロック化部２４５により生成されN個の画素値からなる小ブロックが、処理データとして採用されている。そして、この小ブロックがM個集まって構成される大ブロック、即ち、残差算出部２４４により算出された残差大ブロックが、分析単位として採用されている。なお、図３の例の符号化部５２では、動きベクトル検出部２４３から出力されたデジタル信号Vcdmvが、復号情報生成用情報である図１３のデジタル信号Vbのひとつとして採用されている。
【０２１６】
図１３の分析部４０２は、設定部４０１から供給される１以上のデータ群のそれぞれを順次処理対象に設定し、処理対象のデータ群を分析することで、処理対象のデータ群の表現形式を変換するための変換情報を処理対象毎に個別に生成し、変換部４０３に供給する。
【０２１７】
なお、変換情報自身、または、それに対応する変換情報生成用情報は、必要に応じて、デジタル信号Vbとして、分析部４０２から重畳部４０４に供給される。さらにまた、復号情報生成用情報が、分析部４０２により生成または利用された場合、必要に応じて、デジタル信号Vbとして、分析部４０２から重畳部４０４に供給される。
【０２１８】
例えば、図３の例の符号化部５２では、分析部４０２は、直交変換基底生成部２４６から構成されている。即ち、図３の例の符号化部５２では、直交変換基底生成部２４６により生成される残差大ブロック毎の直交変換の基底（第１乃至第N主成分）が、変換情報として採用されている。なお、図３の例の符号化部５２では、直交変換基底生成部２４６から出力されたデジタル信号Vcdpが、変換情報自身である図１３のデジタル信号Vbのひとつとして採用されている。
【０２１９】
図１３の変換部４０３は、設定部４０１から供給される１以上のデータ群のそれぞれについて、分析部４０２から供給された変換情報のうちの処理対象のデータ群についての変換情報を利用して、処理対象のデータ群を構成するM個の処理データのそれぞれの表現形式を変換する。そして、変換部４０３は、それぞれ表現形式が変換された１以上のデータ群を、デジタル信号Vaとして重畳部４０４に供給する。
【０２２０】
このように、変換情報とは、処理データの表現形式のうちの、変換部４０３による変換前の第１の表現形式と、変換部４０３による変換後の第２の表現形式との間の関係を示すまたは規定する情報である、といえる。
【０２２１】
なお、ここで言う表現形式の変換とは、上述した軸変換等による表現形式の変換の他、所定の符号化方式による符号化（量子化等）を含めてもよいし、含めなくてもよい。前者の場合、符号化部５２は、データの表現形式を変換するデータ変換装置またはその一部であると言える。また、後者の場合、変換部４０３は、それぞれ表現形式が変換された１以上のデータ群を符号化し、その結果得られる信号をデジタル信号Vaとして重畳部４０４に供給することになる。
【０２２２】
例えば、図３の例の符号化部５２では、変換部４０３は直交変換符号化部２４７から構成されている。即ち、図３の例の符号化部５２では、直交変換符号化部２４７から出力されたデジタル信号Vcdqが、図１３のデジタル信号Vaとして採用されている。
【０２２３】
重畳部４０４は、変換部４０３から供給されたデジタル信号Vaに対して、設定部４０１と分析部４０２とのうちの少なくとも一方から供給されたデジタル信号Vb（変換情報、変換情報生成用情報、および復号情報生成用情報のうちの少なくとも１つ）を重畳し、その結果得られるデジタル信号を符号化デジタル画像信号Vcdとして、図２の記録部５３や復号部５４に出力する。
【０２２４】
例えば、図３の例の符号化部５２では、重畳部４０４は重畳部２４８から構成されている。
【０２２５】
以上、図１３を参照して、図２の符号化部５２の機能的構成について説明した。
【０２２６】
次に、図１４のフローチャートを参照して、図１３の機能的構成を有する符号化部５２の符号化処理例について説明する。
【０２２７】
ステップＳ２０１において、設定部４０１は、デジタル画像信号Vdg1を、例えば１フレーム分だけ入力する。
【０２２８】
ステップＳ２０２において、設定部４０１は、１フレーム分のデジタル画像信号Vdg1から、処理データと分析単位との設定を行う。そして、１フレーム分の複数の処理データが分析単位で区分され、その結果得られるM個の処理データからなる１以上のデータ群、即ち、１フレーム分の１以上のデータ群が、設定部４０１から分析部４０２と変換部４０３とに供給されると、処理はステップＳ２０３に進む。
【０２２９】
ステップＳ２０３において、分析部４０２は、分析単位毎に変換情報を１フレーム分だけ生成する。即ち、分析部４０２は、１フレーム分の１以上のデータ群のそれぞれについての変換情報を生成する。１フレーム分の分析単位毎の変換情報が、分析部４０２から変換部４０３に供給されると、処理はステップＳ２０４に進む。
【０２３０】
ステップＳ２０４において、変換部４０３は、１フレーム分の分析単位毎の変換情報を利用して、１フレーム分の画像信号Vdg1の表現形式を分析単位毎に変換する。即ち、変換部４０３は、１フレーム分の１以上のデータ群のそれぞれについて、処理対象のデータ群についての変換情報を利用して、処理対象のデータ群の表現形式を変換する。このステップＳ２０４の処理の結果として１フレーム分のデジタル信号Vaが得られ、このデジタル信号Vaが変換部４０３から重畳部４０４に供給されると、処理はステップＳ２０５に進む。
【０２３１】
ステップＳ２０５において、重畳部４０４は、変換部４０３から供給された１フレーム分のデジタル信号Vaに対して、設定部４０１と分析部４０２とのうちの少なくとも一方から供給されたデジタル信号Vbを重畳することで、符号化デジタル画像信号Vcdを生成する。
【０２３２】
ステップＳ２０６において、重畳部４０４は、この符号化デジタル画像信号Vcdを外部に出力する。
【０２３３】
ステップＳ２０７において、符号化部５２は、処理すべき全フレームに対する処理が終了したか否かを判定する。
【０２３４】
全フレームに対する処理がまだ終了していない場合、ステップＳ２０７においてNOであると判定されて、処理はステップＳ２０１に戻され、それ以降の処理が繰り返される。即ち、次の１フレーム分のデジタル画像信号Vdg1が、ステップＳ２０１の処理で入力され、ステップＳ２０２乃至Ｓ２０５の処理で上述した符号化処理が施され、その結果、次の１フレーム分の符号化デジタル画像信号Vcdが得られ、この符号化デジタル画像信号VcdがステップＳ２０６の処理で出力される。
【０２３５】
このようなステップＳ２０１乃至Ｓ２０７のループ処理が全フレームに対して施され、最後のフレーム分の符号化デジタル画像信号Vcdが出力されると、次のステップＳ２０７においてYESであると判定されて、図１４の例の符号化処理は終了となる。
【０２３６】
以上、図１４を参照して、図１３の機能的構成を有する符号化部５２の符号化処理の例について説明した。
【０２３７】
次に、図１５と図１６を参照して、図１３の機能的構成を有する符号化部５２に対応する復号部５４の機能的構成例について説明する。
【０２３８】
図１５の例では、復号部５４は、データ分解部４１１乃至復号画像生成部４１４から構成されている。ただし、後述するように、分析部４１２は、必要に応じて省略可能である。
【０２３９】
データ分解部４１１には、図１３の機能的構成を有する符号化部５２から出力された符号化デジタル画像信号Vcdが供給される。
【０２４０】
データ分解部４１１は、この符号化デジタル画像信号Vcdを、図１３の変換部４０３の出力であるデジタル信号Vaと、図１３の設定部４０１と分析部４０２とのうちの少なくとも一方の出力であるデジタル信号Vbとに分解する。
【０２４１】
上述したように、デジタル信号Vbには、変換情報自身およびそれに対応する変換情報生成用情報、並びに復号情報生成用情報のうちの少なくとも１つが含まれている。そこで、データ分解部４１１は、デジタル信号Vbに変換情報が含まれている場合、その変換情報を逆変換部４１３に供給する。これに対して、データ分解部４１１は、デジタル信号Vbに変換情報生成用情報が含まれている場合、その変換情報生成用情報を分析部４１２に供給する。また、データ分解部４１１は、デジタル信号Vbに復号情報生成用情報が含まれている場合、その復号情報生成用情報を、分析部４１２乃至復号画像生成部４１４のうちの少なくとも１つに供給する。
【０２４２】
例えば、図１１の例の復号部５４では、データ分解部４１１はデータ分解部２９２から構成されている。
【０２４３】
分析部４１２は、変換情報生成用情報であるデジタル信号Vbがデータ分解部４１１から供給された場合、その変換情報生成用情報を利用することで、分析単位毎の変換情報（図１３の分析部４０２の出力に対応する各変換情報）をそれぞれ生成し、逆変換部４１３に供給する。即ち、分析部４１２は、１以上のデータ群のそれぞれについての変換情報を生成し、逆変換部４１３に供給する。
【０２４４】
なお、図１１の例の復号部５４では、デジタル信号Vbに変換情報生成用情報が含まれていないので、即ち、デジタル信号Vbには変換情報そのものであるデジタル信号Vcdpが含まれているので、分析部４１２は省略されている。
【０２４５】
逆変換部４１３は、データ分解部４１１からデジタル信号Vbとして供給された分析単位毎の変換情報、または、分析部４１２から供給された分析単位毎の変換情報を利用して、データ分解部４１１から供給されたデジタル信号Vaの表現形式を元に戻す。即ち、逆変換部４１３は、表現形式が変換された分析単位毎の処理データ（１以上のデータ群）のそれぞれについて、処理対象のデータ群についての変換情報を利用して、表現形式が変換された処理対象のデータ群の表現形式を元に戻す。そして、逆変換部４１３は、表現形式が元に戻された分析単位毎の処理データ（１以上のデータ群）を、復号画像生成部４１４に供給する。
【０２４６】
なお、ここで言う表現形式を元に戻すとは、上述した逆軸変換等により表現形式を元に戻す他、図１３の変換部４０３に採用されている符号化方式に対応する復号方式の復号（逆量子化等）も含めてもよいし、含めなくてもよい。前者の場合、復号部５４は、データの表現形式を逆変換するデータ逆変換装置またはその一部分である、といえる。また、後者の場合、逆変換部４１３は、データ分解部４１１から供給されたデジタル信号Vaを復号し、その結果得られる信号の表現形式を元に戻すことになる。
【０２４７】
例えば、図１１の例の復号部５４では、逆変換部４１３は逆直交変換復号部２９４から構成されている。
【０２４８】
復号画像生成部４１４は、逆変換部４１３により表現形式が元に戻された分析単位毎の処理データ（１以上のデータ群）を利用して、データ分解部４１１に入力された符号化デジタル画像信号Vcdの復号信号であるデジタル画像信号Vdg2を生成し、図２のD/A変換部５５等に供給する。
【０２４９】
例えば、図１１の例の復号部５４では、復号画像生成部４１４は、動きベクトル先抽出部２９３、加算部２９５、ブロック分解部２９６、およびフレームメモリ２９７から構成されている。
【０２５０】
なお、以上説明した分析部４１２乃至復号画像生成部４１４は、復号情報生成用情報であるデジタル信号Vbが供給された場合、必要に応じて、その復号情報生成用情報を利用して上述した各種処理を実行する。
【０２５１】
以上、図１５の機能的構成を有する復号部５４の構成について説明した。次に、図１６のフローチャートを参照して、図１５の機能的構成を有する復号部５４の復号処理例について説明する。
【０２５２】
ステップＳ２２１において、データ分解部４１１は、符号化デジタル画像信号Vcdを、例えば１フレーム分だけ入力する。
【０２５３】
ステップＳ２２２において、データ分解部４１１は、１フレーム分の符号化デジタル画像信号Vcdを、１フレーム分のデジタル信号Vaと１フレーム分のデジタル信号Vbとに分解する。
【０２５４】
ステップＳ２２３において、データ分解部４１１は、変換情報が分解されたか否かを判定する。
【０２５５】
ステップＳ２２２の処理で符号化デジタル画像信号Vcdから分解されたデジタル信号Vbに、１フレーム分の分析単位毎の変換情報が含まれている場合、ステップＳ２２３において変換情報が分解されたと判定されて、ステップＳ２２４の処理は実行されずに処理はステップＳ２２５に進む。その際、１フレーム分の分析単位毎の変換情報であるデジタル信号Vbは、データ分解部４１１から逆変換部４１３に提供される。
【０２５６】
これに対して、ステップＳ２２２の処理で符号化デジタル画像信号Vcdから分解されたデジタル信号Vbに、変換情報が含まれておれず、１フレーム分の分析単位毎の変換情報生成用情報が含まれている場合、ステップＳ２２３において変換情報が分解されていないと判定されて、１フレーム分の分析単位毎の変換情報生成用情報であるデジタル信号Vbは、データ分解部４１１から分析部４１２に提供される。これにより、処理はステップＳ２２４に進む。
【０２５７】
ステップＳ２２４において、分析部４１２は、１フレーム分の分析単位毎の変換情報生成用情報のそれぞれを利用して、１フレーム分の分析単位毎の変換情報を生成する。１フレーム分の分析単位毎の変換情報が、分析部４１２から逆変換部４１３に提供されると、処理はステップＳ２２５に進む。
【０２５８】
ステップ２２５において、逆変換部４１３は、データ分解部４１１または分析部４１２から提供された１フレーム分の分析単位毎の変換情報を利用して、１フレーム分の符号化デジタル画像信号Vcdの表現形式を分析単位毎に元に戻す。即ち、ステップＳ２２５の処理とは、図１４のステップＳ２０４の変換処理の逆処理（逆変換処理）であるとも言える。
【０２５９】
符号化デジタル画像信号Vcdの表現形式が分析単位毎に元に戻されるとは、上述したように、表現形式が元に戻された分析単位毎の処理データ（１以上のデータ群）が得られることを言う。従って、ステップＳ２２５の処理の結果、表現形式が元に戻された分析単位毎の処理データ（１以上のデータ群）が、逆変換部４１３から復号画像生成部４１４に提供される。これにより、処理はステップＳ２２６に進む。
【０２６０】
ステップＳ２２６において、復号画像生成部４１４は、表現形式が元に戻された分析単位毎の処理データ（１以上のデータ群）から、ステップＳ２２１の処理で入力された１フレーム分の符号化デジタル画像信号Vcdの復号信号である１フレーム分のデジタル画像信号Vdg2を生成する。
【０２６１】
ステップＳ２２７において、復号画像生成部４１４は、この１フレーム分のデジタル画像信号Vdg2を出力する。
【０２６２】
ステップＳ２２８において、復号部５４は、処理すべき全フレームに対する処理が終了したか否かを判定する。
【０２６３】
全フレームに対する処理がまだ終了していない場合、ステップＳ２２８においてNOであると判定されて、処理はステップＳ２２１に戻され、それ以降の処理が繰り返される。即ち、次の１フレーム分の符号化デジタル画像信号Vcdが、ステップＳ２２１の処理で入力され、ステップＳ２２２乃至Ｓ２２６の処理で上述した復号処理が施され、その結果、次の１フレーム分のデジタル画像信号Vdg2が得られ、このデジタル画像信号Vdg2がステップＳ２２７の処理で出力される。
【０２６４】
このようなステップＳ２２１乃至Ｓ２２８のループ処理が全フレームに対して施され、最後のフレーム分のデジタル画像信号Vdg2が出力されると、次のステップＳ２２８においてYESであると判定されて、図１６の例の復号処理は終了となる。
【０２６５】
以上、図１６を参照して、図１５の機能的構成を有する復号部５４の復号処理の例について説明した。
【０２６６】
即ち、以上、図３乃至図１６を参照して、図２の符号化部５２とそれに対応する復号部５４との詳細について説明した。
【０２６７】
ところで、本発明が適用される画像処理システムは、図２の例に限定されず、様々な実施の形態を取ることができる。即ち、本発明が適用される画像処理システムは、例えば、上述した図１３の機能的構成を有する符号化部５２と、上述した図１５の機能的構成を有する復号部５４とを含む構成であれば、その構成は特に限定されない。具体的には例えば、本発明が適用される画像処理システムは、図１７に示されるように構成することもできる。
【０２６８】
即ち、図１７は、本発明が適用される画像処理システムの構成例を示している。
【０２６９】
なお、図１７の例の画像処理システムにおいて、図２の例の画像処理システムと対応する部分には同一の符号を付してあり、その説明は適宜省略する。
【０２７０】
図１７と図２とを比較するに、図１７の例の符号化装置４１は、図２の例の符号化装置４１に対して、アナログ歪み付加部４５１がさらに含むように構成されている。
【０２７１】
アナログ歪み生成部４５１は、その名称の通り、再生装置１から出力されたアナログ画像信号Van1に対してアナログ歪みを積極的に生じさせる（アナログノイズを強制的に付加する）。そして、アナログ歪み生成部４５１は、アナログノイズが強制的に付加されたアナログ画像信号Van1をA/D変換部５１に供給する。
【０２７２】
なお、アナログ歪み生成部４５１の配置位置は、図５８の例に限定されず、任意の位置でよい。例えば、復号装置４２のD/A変換部５５の後段や、再生装置１のD/A変換部１２の後段に、アナログ歪み生成部４５１を配置させてもよい。
【０２７３】
図１７の例の画像処理システムにおけるその他の構成は、図２の例の画像処理システムにおける対応する構成と基本的に同様である。従って、図１７の例の画像処理システムの動作は、アナログ歪み付加部４５１によりアナログ歪みがアナログ画像信号Van1に対して強制的に付加されることを除いて、図２の例の画像処理システムの動作と基本的に同様である。従って、その説明については省略する。
【０２７４】
ところで、上述した一連の処理（或いはそのうちの一部分の処理）は、ハードウエアにより実行させることもできるが、ソフトウエアにより実行させることもできる。
【０２７５】
この場合、図２または図１７の画像処理システムのうちの、符号化装置４１や復号装置４２の全体若しくはその一部分（例えば、符号化部５２や復号部５４等）は、例えば、図１８に示される構成のコンピュータで構成することができる。
【０２７６】
図１８において、CPU（Central Processing Unit）５０１は、ROM（Read Only Memory）５０２に記録されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【０２７７】
CPU５０１、ROM５０２、およびRAM５０３は、バス５０４を介して相互に接続されている。このバス５０４にはまた、入出力インタフェース５０５も接続されている。
【０２７８】
入出力インタフェース５０５には、キーボード、マウスなどよりなる入力部５０６、ディスプレイなどよりなる出力部５０７、ハードディスクなどより構成される記憶部５０８、および、モデム、ターミナルアダプタなどより構成される通信部５０９が接続されている。通信部５０９は、インターネットを含むネットワークを介して他の装置との通信処理を行う。
【０２７９】
入出力インタフェース５０５にはまた、必要に応じてドライブ５１０が接続され、磁気ディスク、光ディスク、光磁気ディスク、或いは半導体メモリなどよりなるリムーバブル記録媒体５１１が適宜装着され、それらから読み出されたコンピュータプログラムが、必要に応じて記憶部５０８にインストールされる。
【０２８０】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２８１】
このようなプログラムを含む記録媒体は、図１８に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）５１１により構成されるだけでなく、装置本体に予め組み込まれた状態でユーザに提供される、プログラムが記録されているROM５０２や、記憶部５０８に含まれるハードディスクなどで構成される。
【０２８２】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２８３】
また、上述したように、本明細書において、システムとは、複数の処理装置や処理部により構成される装置全体を表すものである。
【０２８４】
また、符号化または復号の対象は、上述した例では画像信号とされたが、特に画像信号に限定されず、その他の任意の信号であってもよい。
【０２８５】
さらにまた、上述した各種画像処理の単位は、上述した例ではフレームとされたが、基本的にアクセスユニットであればよい。ここで言うアクセスユニットとは、フレームのような画像全体若しくはそれを構成する画像データのみならず、画像の一部分（例えばフィールド）若しくは画像データといった画像の単位を言う。
【図面の簡単な説明】
【０２８６】
【図１】従来の画像表示システムの構成例を示すブロック図である。
【図２】本発明が適用される画像処理システムの構成例を示すブロック図である。
【図３】図２の画像処理システムのうちの符号化部５２の構成例を示すブロック図である。
【図４】図３の大ブロック化部２４２の処理例を説明する図である。
【図５】図３の動きベクトル検出部２４３の処理例を説明する図である。
【図６】図３４の動きベクトル検出部２４３の処理例を説明する図である。
【図７】図３の残差算出部２４４の処理例を説明する図である。
【図８】図３の小ブロック化部２４５の処理例を説明する図である。
【図９】図３のローカルデコード部２４９の詳細な構成例を示すブロック図である。
【図１０】図３の例の符号化部５２の符号化処理例を説明するフローチャートである。
【図１１】図２の画像処理システムのうちの、図３の例の符号化部５２に対応する復号部５４の構成例を示すブロック図である。
【図１２】図１１の例の復号部５４の復号処理例を説明するフローチャートである。
【図１３】図２の画像処理システムのうちの符号化部５２の機能的構成例を示す機能ブロック図である。
【図１４】図１３の機能的構成の符号化部５２の符号化処理例を説明するフローチャートである。
【図１５】図２の画像処理システムのうちの、図１３の機能的構成の符号化部５２に対応する復号部５４の機能的構成例を示す機能ブロック図である。
【図１６】図１５の機能的構成の復号部５４の復号処理例を説明するフローチャートである。
【図１７】本発明が適用される画像処理システムの図２とは異なる構成例を示すブロック図である。
【図１８】本発明が適用される符号化装置または復号装置の少なくとも一部分のハードウエア構成の一例を示すブロック図である。
【符号の説明】
【０２８７】
１  再生装置，  ２  表示部，  １１  復号部，  １２  D/A変換部，  ３１  記録再生装置，  ４１  符号化装置，  ４２  復号装置，  ５１  A/D変換部，  ５２  符号化部，  ５３  記録部，  ５４  復号部，  ５５  D/A変換部，  ５６  表示部，  ２４１  入力部，  ２４２  大ブロック化部，  ２４３  動きベクトル検出部，  ２４４  残差算出部，  ２４５  小ブロック化部，  ２４６  直交変換基底生成部，  ２４７  直交変換符号化部，  ２４８  重畳部，  ２４９  ローカルデコード部，  ２５０  フレームメモリ，  ２５１  出力部，  ２７１  データ分解部，  ２７２  動きベクトル先抽出部，  ２７３  逆直交変換復号部，  ２７４  加算部，  ２７５  ブロック分解部，  ２９１  入力部，  ２９２  データ分解部，  ２９３  動きベクトル先抽出部，  ２９４  逆直交変換復号部，  ２９５  加算部，  ２９６  ブロック分解部，  ２９７  フレームメモリ，  ２９８  出力部，  ４０１  設定部４０１  分析部，  ４０３  変換部，  ４０４  重畳部，  ４１１  データ分解部，  ４１２  分析部，  ４１３  逆変換部，  ４１４  復号画像生成部，  ４５１  アナログ歪み付加部，  ５０１  ＣＰＵ，  ５０２  ＲＯＭ，  ５０３  ＲＡＭ，  ５０８  記憶部，  ５１１  リムーバブル記録媒体
【図１】
2006238067.tif 000003
【図２】
2006238067.tif 000004
【図３】
2006238067.tif 000005
【図４】
2006238067.tif 000006
【図５】
2006238067.tif 000007
【図６】
2006238067.tif 000008
【図７】
2006238067.tif 000009
【図８】
2006238067.tif 000010
【図９】
2006238067.tif 000011
【図１０】
2006238067.tif 000012
【図１１】
2006238067.tif 000013
【図１２】
2006238067.tif 000014
【図１３】
2006238067.tif 000015
【図１４】
2006238067.tif 000016
【図１５】
2006238067.tif 000017
【図１６】
2006238067.tif 000018
【図１７】
2006238067.tif 000019
【図１８】
2006238067.tif 000020